(57)【特許請求の範囲】
【請求項１】
縁なし印刷の定着を行う定着手段と、
回転部材で媒体の側面を定着後に清掃する清掃手段と、
前記清掃手段の近辺に、前記回転部材による削りカスを回収する回収手段
を有し、
前記回収手段は、前記回転部材の下部に、前記削りカスを吸引する開口部を有し、
前記吸引は、磁力、又は、磁力及び空気によって行う、
画像形成装置。
【請求項２】
前記回収手段は、前記回転部材の下に前記削りカスを受ける容器を有する、
請求項１に記載の画像形成装置。
【請求項３】
定着手段と清掃手段と回収手段を有する画像形成装置を、
前記定着手段に、縁なし印刷の定着を行わせ、
前記清掃手段に、回転部材で媒体の側面を定着後に清掃させ、
前記回収手段に、前記清掃手段の近辺に、前記回転部材による削りカスを回収する
ように制御し、
前記回収手段は、前記回転部材の下部に、前記削りカスを吸引する開口部を有し、
前記吸引は、磁力、又は、磁力及び空気によって行う、
画像形成プログラム。
【発明の詳細な説明】
【技術分野】
【０００１】
本発明は、画像形成装置及び画像形成プログラムに関する。
【背景技術】
【０００２】
特許文献１には、縁なし記録を実現するために記録シートより大きな画像形成領域を設けたために、記録シートの端面に付着した剰余トナーを清掃し、端面汚れを抑制できる画像形成装置を提供することを課題とし、画像形成装置の代表的な構成は、トナー像を担持する像担持体を有し、前記像担持体上のトナー像を記録シートの縁に渡って転写する画像形成装置において、記録シートを斜め送りする搬送コロと、搬送コロにより斜め送りされた記録シートをシート搬送方向へガイドする突き当てガイドと、突き当てガイドのシート搬送方向下流側に設けられ、記録シートの端面に接触して端面に付着したトナーを清掃する清掃部材と、を有することが開示されている。
【０００３】
特許文献２には、スイッチバック搬送された記録材の先端側の縁のトナーを取り除き、画像不良や搬送不良を防止することを課題とし、スイッチバック搬送された記録材を案内する搬送路に、前記スイッチバック搬送された記録材の先端側縁に付着しているトナーを除去する清掃コロを設けたことを特徴とすることが開示されている。
【先行技術文献】
【特許文献】
【０００４】
【特許文献１】特開２００９−０４８０８６号公報
【特許文献２】特開２００９−０５１５８４号公報
【発明の概要】
【発明が解決しようとする課題】
【０００５】
画像形成装置で縁なし印刷を行う場合、媒体の側面にトナーがはみ出して汚れが発生することがある。
本発明は、縁なし印刷を行う場合にあって、媒体の側面の汚れを清掃することができる画像形成装置及び画像形成プログラムを提供することを目的としている。
【課題を解決するための手段】
【０００６】
かかる目的を達成するための本発明の要旨とするところは、次の各項の発明に存する。
発明［１］は、縁なし印刷の定着を行う定着手段と、回転部材で媒体の側面を定着後に清掃する清掃手段を有する画像形成装置である。
【０００７】
発明［２］は、前記清掃手段の近辺に、前記回転部材による削りカスを回収する回収手段をさらに有する発明［１］に記載の画像形成装置である。
【０００８】
発明［３］は、前記回収手段は、前記回転部材の下に前記削りカスを受ける容器を有する、発明［２］に記載の画像形成装置である。
【０００９】
発明［４］は、前記回収手段は、前記削りカスを吸引する、発明［２］に記載の画像形成装置である。
【００１０】
発明［５］は、前記回収手段は、前記回転部材の下部に、前記削りカスを吸引する開口部を有する、発明［４］に記載の画像形成装置である。
【００１１】
発明［６］は、前記吸引は、空気又は磁力によって行う、発明［５］に記載の画像形成装置である。
【００１２】
発明［７］は、前記縁なし印刷の対象となる画像に対して画像処理を行う画像処理手段をさらに有する発明［１］に記載の画像形成装置である。
【００１３】
発明［８］は、前記画像処理手段は、前記清掃する側面側に空白を設けるように、前記画像をシフトする画像処理を行う、発明［７］に記載の画像形成装置である。
【００１４】
発明［９］は、前記画像処理手段は、前記清掃する側面側の画像を延長する画像処理を行う、発明［７］に記載の画像形成装置である。
【００１５】
発明［１０］は、前記清掃手段は、前記媒体の搬送方向の両側又は片面に設けられている、発明［１］に記載の画像形成装置である。
【００１６】
発明［１１］は、前記清掃手段は、前記媒体を回転させた後に清掃を行う、発明［１０］に記載の画像形成装置である。
【００１７】
発明［１２］は、前記清掃手段は、清掃を行う側面が前記搬送方向の両側又は片面になるように、前記回転を行う、発明［１１］に記載の画像形成装置である。
【００１８】
発明［１３］は、前記清掃手段は、前記媒体の側面と接触する部材は、球体で表面がやすりになっている、発明［１］に記載の画像形成装置である。
【００１９】
発明［１４］は、前記清掃手段は、前記媒体の側面と接触する部材は、従動ロールで表面がやすりになっている、発明［１］に記載の画像形成装置である。
【００２０】
発明［１５］は、前記清掃手段は、前記媒体の印刷面が下側となる経路の両側又は片面に設けられている、発明［１］に記載の画像形成装置である。
【００２１】
発明［１６］は、前記清掃手段は、媒体の側面と接触する部材に、該部材が媒体とは反対方向に待避可能な待避機構を有している、発明［１］に記載の画像形成装置である。
【００２２】
発明［１７］は、前記清掃手段は、前記媒体を複数枚重ねた後に、清掃を行う、発明［１］に記載の画像形成装置である。
【００２３】
発明［１８］は、前記清掃手段は、前記媒体の側面と接触する部材を複数有する、発明［１７］に記載の画像形成装置である。
【００２４】
発明［１９］は、複数枚重ねた前記媒体の最大厚みに対応できる個数で前記部材を配置する、発明［１８］に記載の画像形成装置である。
【００２５】
発明［２０］は、複数枚重ねた前記媒体の清掃する側面に隙間ができないように、前記部材を配置している、発明［１８］に記載の画像形成装置である。
【００２６】
発明［２１］は、転写前の媒体に圧力をかける圧力手段をさらに有する発明［１］に記載の画像形成装置である。
【００２７】
発明［２２］は、定着手段と清掃手段を有する画像形成装置を、前記定着手段に、縁なし印刷の定着を行わせ、前記清掃手段に、回転部材で媒体の側面を定着後に清掃させるように制御する画像形成プログラムである。
【発明の効果】
【００２８】
発明［１］の画像形成装置によれば、縁なし印刷を行う場合にあって、媒体の側面の汚れを清掃することができる。
【００２９】
発明［２］の画像形成装置によれば、削りカスを回収することができる。
【００３０】
発明［３］の画像形成装置によれば、回転部材の下にある容器で削りカスを受けることができる。
【００３１】
発明［４］の画像形成装置によれば、削りカスを吸引することができる。
【００３２】
発明［５］の画像形成装置によれば、回転部材の下部にある開口部で削りカスを吸引することができる。
【００３３】
発明［６］の画像形成装置によれば、空気又は磁力によって、削りカスを吸引することができる。
【００３４】
発明［７］の画像形成装置によれば、縁なし印刷の対象となる画像に対して画像処理を行うことができる。
【００３５】
発明［８］の画像形成装置によれば、画像をシフトして、清掃する側面側に空白を設けるようにすることができる。
【００３６】
発明［９］の画像形成装置によれば、画像を延長して、清掃した後も元の画像が残るようにすることができる。
【００３７】
発明［１０］の画像形成装置によれば、媒体の搬送方向の両側又は片面を清掃することができる。
【００３８】
発明［１１］の画像形成装置によれば、媒体を回転させた後に清掃を行うことができる。
【００３９】
発明［１２］の画像形成装置によれば、回転を行って、清掃を行う側面が搬送方向の両側又は片面とすることができる。
【００４０】
発明［１３］の画像形成装置によれば、球体で表面がやすりになっている部材で清掃することができる。
【００４１】
発明［１４］の画像形成装置によれば、従動ロールで表面がやすりになっている部材で清掃することができる。
【００４２】
発明［１５］の画像形成装置によれば、媒体の印刷面が下側となる経路の両側又は片面を清掃することができる。
【００４３】
発明［１６］の画像形成装置によれば、待避機構を有している部材で、媒体を清掃することができる。
【００４４】
発明［１７］の画像形成装置によれば、複数枚の媒体を清掃することができる。
【００４５】
発明［１８］の画像形成装置によれば、媒体の側面と接触する複数の部材で清掃することができる。
【００４６】
発明［１９］の画像形成装置によれば、複数枚重ねた媒体の最大厚みに対応できる清掃を行うことができる。
【００４７】
発明［２０］の画像形成装置によれば、複数枚重ねた媒体の清掃する側面に隙間ができないように清掃を行うことができる。
【００４８】
発明［２１］の画像形成装置によれば、圧力を掛けられた媒体に縁なし印刷の定着を行うことができる。
【００４９】
発明［２２］の画像形成プログラムによれば、縁なし印刷を行う場合にあって、媒体の側面の汚れを清掃することができる。
【図面の簡単な説明】
【００５０】
【図１】第１の実施の形態の構成例についての概念的なモジュール構成図である。
【図２】第１の実施の形態の対象となる汚れの例を示す説明図である。
【図３】第１の実施の形態の処理例を示す説明図である。
【図４】第１の実施の形態の処理例を示す説明図である。
【図５】第１の実施の形態の処理例を示す説明図である。
【図６】第１の実施の形態の処理例を示す説明図である。
【図７】第１の実施の形態の処理例を示す説明図である。
【図８】第１の実施の形態の処理例を示す説明図である。
【図９】第２の実施の形態の構成例についての概念的なモジュール構成図である。
【図１０】第２の実施の形態を利用したシステム構成例を示す説明図である。
【図１１】第２の実施の形態による処理例を示すフローチャートである。
【図１２】第２の実施の形態による処理例を示すフローチャートである。
【図１３】第２の実施の形態による処理例を示すフローチャートである。
【図１４】第２の実施の形態による処理例を示す説明図である。
【図１５】第２の実施の形態による処理例を示す説明図である。
【図１６】第２の実施の形態による処理例を示す説明図である。
【図１７】第２の実施の形態による処理例を示す説明図である。
【図１８】第２の実施の形態による処理例を示す説明図である。
【図１９】第２の実施の形態による処理例を示す説明図である。
【図２０】第２の実施の形態による処理例を示す説明図である。
【図２１】第２の実施の形態による処理例を示す説明図である。
【図２２】第２の実施の形態による処理例を示す説明図である。
【図２３】第２の実施の形態による処理例を示す説明図である。
【図２４】第２の実施の形態による処理例を示す説明図である。
【図２５】第２の実施の形態による処理例を示す説明図である。
【図２６】第２の実施の形態による処理例を示すフローチャートである。
【図２７】第３の実施の形態の構成例についての概念的なモジュール構成図である。
【図２８】第３の実施の形態を利用したシステム構成例を示す説明図である。
【図２９】第３の実施の形態による処理例を示すフローチャートである。
【図３０】第３の実施の形態による処理例を示すフローチャートである。
【図３１】第３の実施の形態による処理対象の外縁の例を示す説明図である。
【図３２】第３の実施の形態による画面の提示例を示す説明図である。
【図３３】第３の実施の形態による画面の提示例を示す説明図である。
【図３４】印刷指示テーブルのデータ構造例を示す説明図である。
【図３５】第３の実施の形態による処理例を示す説明図である。
【図３６】第３の実施の形態による処理例を示す説明図である。
【図３７】第３の実施の形態による処理例を示す説明図である。
【図３８】第３の実施の形態による処理例を示す説明図である。
【図３９】第３の実施の形態の構成例についての概念的なモジュール構成図である。
【図４０】第３の実施の形態を利用したシステム構成例を示す説明図である。
【図４１】画像形成処理モジュール内の概略構成図である。
【図４２】画像形成処理モジュール内の二次転写が行われる位置付近の構成及び二次転写部材とクリーニング部材との間に印加されるバイアス電圧を制御する構成を示す図である。
【図４３】縁なし印刷において、記録媒体からはみ出して形成されたトナー像により記録媒体の背面に汚れが生じる状態を説明する図である。
【図４４】第３の実施の形態による処理例を示すフローチャートである。
【図４５】第３の実施の形態による処理例を示す説明図である。
【図４６】第３の実施の形態による処理例を示すフローチャートである。
【図４７】縁なし印刷ログテーブルのデータ構造例を示す説明図である。
【図４８】ユーザー別許可枚数テーブルのデータ構造例を示す説明図である。
【図４９】第３の実施の形態による処理例を示すフローチャートである。
【図５０】第３の実施の形態による処理例を示すフローチャートである。
【図５１】第３の実施の形態による処理例を示すフローチャートである。
【図５２】本実施の形態を実現するコンピュータのハードウェア構成例を示すブロック図である。
【発明を実施するための形態】
【００５１】
以下、図面に基づき本発明を実現するにあたっての好適な各種の実施の形態の例を説明する。
図１は、第１の実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００５２】
第１の実施の形態である画像形成装置は、媒体に印刷データを印刷するものであって、特に、縁なし印刷を行う。一般的に、プリンタ、複写機、複合機（プリンタ、複写機のいずれか１つ以上の機能を有しており、スキャナ、ファックス等の複数の機能を有している画像処理装置）等が該当する。
この画像形成装置は、図１の例に示すように、転写モジュール１１０、定着モジュール１２０、搬送・清掃モジュール１３０、排紙保持モジュール１４０を有している。なお、媒体とは、印刷が行われるもの（印刷データを転写するもの）であって、紙、樹脂、布等があり、一般的には用紙といわれる。以下、媒体の例示として用紙を用いる。
【００５３】
この画像形成装置では、汚れを清掃するために、主に、以下のことを行う。
（１）削りカス（汚れ）の回収機構
（２）画像（印刷データ）の調整方法
（３）用紙を削る方向に回転してからの搬送
（４）複数枚の用紙の側面の汚れの落とし方
（５）汚れが落ちやすくするための前処理
【００５４】
転写モジュール１１０は、媒体に印刷データの転写（特に、縁なし印刷における転写）を行う。なお、この転写によって、媒体の側面にトナーが付着することがある。一般的に、媒体は薄いが、厚みを有している。したがって、媒体は直方体であるといえる。厚みは、媒体の高さに該当する。媒体の側面とは、媒体（直方体）の横の面（縁ともいわれる）をいう。
図２は、第１の実施の形態の対象となる汚れの例を示す説明図である。
図２（ａ１）は、非縁なし印刷（縁あり印刷）の場合の用紙２１０と印刷対象画像２２０ａとの関係例を示したものである。印刷される印刷対象画像２２０ａは用紙２１０よりも小さいため、周辺空白領域２２５が生じる。そのため、印刷対象画像２２０ａの縁に画像２４５ａがあったとしても、周辺空白領域２２５のため用紙２１０側面に汚れは発生しない（又は、汚れが発生する可能性は低い）。そのため、一般的に、汚れを除去する必要はない。
図２（ａ２）は、縁なし印刷の場合の用紙２１０と印刷対象画像２２０ｂとの関係例を示したものである。印刷される印刷対象画像２２０ｂは用紙２１０よりも大きいため、はみ出画像２３５が生じる。そのため、印刷対象画像２２０ｂの縁に画像２４５ｂがある場合は、用紙２１０の側面（用紙２１０の上下左右の側面）に、余分なトナーによって汚れが発生する可能性がある。したがって、この汚れを除去すべきである。
図２（ａ３）は、縁なし印刷の場合の用紙２１０と印刷対象画像２２０ｃとの関係例を示したものである。印刷される印刷対象画像２２０ｃは用紙２１０と同じ大きさであるが、転写モジュール１１０、定着モジュール１２０によって、印刷対象画像２２０ｃの縁に画像２４５ｃがある場合は、用紙２１０の側面に、余分なトナーによって汚れが発生する可能性がある。したがって、印刷対象画像２２０ｃが用紙２１０と同じ大きさであったとしても、この汚れを除去すべきである。
特に、図２（ｂ）の例に示すように、各用紙（用紙２１０ａ等）が縁なし印刷された用紙束２１５を側面から見た場合、側面汚れ２５０（側面汚れ２５０ａ、側面汚れ２５０ｂ、側面汚れ２５０ｃ）が顕著になり、見た目（見映え）も粗悪な印刷物となってしまう。
そこで、第１の実施の形態は、この側面汚れ２５０を除去している。
【００５５】
また、転写モジュール１１０は、縁なし印刷の対象となる画像に対して画像処理を行う画像処理モジュールを有していてもよい。そして、画像処理モジュールによって画像処理された画像を媒体に転写を行う。
例えば、画像処理モジュールは、清掃する側面側に空白を設けるように、画像をシフトする画像処理を行うようにしてもよい。
例えば、画像処理モジュールは、清掃する側面側の画像を延長する画像処理を行うようにしてもよい。
また、転写モジュール１１０は、転写前の媒体に圧力をかける圧力モジュールを有していてもよい。そして、圧力モジュールによって圧力を掛けられた媒体に縁なし印刷の転写を行う。
【００５６】
定着モジュール１２０は、転写モジュール１１０によって印刷データが転写された媒体に定着（特に、縁なし印刷における定着）を行う。前述したように、側面に付着したトナー（汚れ）もここで固定化されてしまうことになる。
【００５７】
搬送・清掃モジュール１３０は、縁なし印刷の定着が行われた媒体を排紙保持モジュール１４０まで搬送する。搬送・清掃モジュール１３０は、清掃モジュールを有している。
そして、搬送・清掃モジュール１３０内の清掃モジュールは、回転部材でその媒体の側面を定着後に清掃する。
搬送・清掃モジュール１３０内の清掃モジュールの近辺に、回転部材による削りカスを回収する回収モジュールを備えている。
そして、回収モジュールは、回転部材の下に削りカスを受ける容器を有するようにしてもよい。
また、回収モジュールは、削りカスを吸引するようにしてもよい。
そして、回収モジュールは、回転部材の下部に、削りカスを吸引する開口部を有するようにしてもよい。その吸引は、空気又は磁力によって行うようにしてもよい。
また、搬送・清掃モジュール１３０内の清掃モジュールは、媒体の搬送方向の両側又は片面に設けられているようにしてもよい。そして、清掃モジュールは、媒体を回転させた後に清掃を行うようにしてもよい。さらに、清掃モジュールは、清掃を行う側面が搬送方向の両側又は片面になるように、回転を行うようにしてもよい。
搬送・清掃モジュール１３０内の清掃モジュールは、媒体の側面と接触する部材は、球体で表面がやすりになっていてもよい。そして、その部材は、従動ロールであって、媒体の側面と接触する部分を可変としてもよい。
【００５８】
また、搬送・清掃モジュール１３０内の清掃モジュールは、媒体の印刷面が下側となる経路の両側又は片面に設けられていてもよい。
また、搬送・清掃モジュール１３０内の清掃モジュールは、媒体の側面と接触する部材に、その部材が媒体とは反対方向に待避可能な待避機構を有しているようにしてもよい。
また、搬送・清掃モジュール１３０内の清掃モジュールは、媒体を複数枚重ねた後に、清掃を行うようにしてもよい。そして、その清掃モジュールは、媒体の側面と接触する部材を複数有するようにしてもよい。さらに、複数枚重ねた媒体の最大厚みに対応できる個数で部材を配置するようにしてもよい。又は、複数枚重ねた媒体の清掃する側面に隙間ができないように、部材を配置するようにしてもよい。部材は、清掃する側面に隙間ができないようになるように、オーバーラップしてもよい。
排紙保持モジュール１４０は、搬送・清掃モジュール１３０によって搬送、清掃された媒体を保持する。つまり、排出された用紙を保持するものである。
【００５９】
図３は、第１の実施の形態（特に、搬送・清掃モジュール１３０）の処理例を示す説明図である。用紙の側面の清掃処理を行うものである。
図３（ａ１）の例は、画像形成装置３００に搬送・清掃モジュール１３０、排紙保持モジュール１４０が備え付けられていることを示すものである。もちろんのことながら、転写モジュール１１０、定着モジュール１２０も備え付けられている。また、搬送・清掃モジュール１３０を後述する画像形成装置１０００に付加してもよい（画像形成装置１０００内における搬送モジュールの代替としてもよい）。
【００６０】
図３（ｂ１）の例は、接触位置における第１の実施の形態にかかる清掃モジュール、ガイドモジュールを示す図である。図３（ｂ２）の例は、離間位置における第１の実施の形態にかかる清掃モジュール、ガイドモジュールを示す図である。
【００６１】
図３（ｂ１）の例に示すように、画像形成装置は、搬送ローラー３６１と対向する搬送コロ（斜送手段）３６２、突き当てガイド（ガイドモジュール）３６３、清掃モジュール３６４を有している。搬送コロ３６２、突き当てガイド３６３、清掃モジュール３６４は、用紙側面清掃機構を構成する。
【００６２】
搬送コロ３６２は、搬送ローラー３６１の回転軸に対して傾けて配置されている。用紙搬送方向上流側（図３（ｂ１）では下側）から搬送される用紙２１０は、搬送ローラー３６１に達すると斜め方向（図３（ｂ１）では右斜め方向）に送られる。突き当てガイド３６３に用紙２１０の側面３０１Ｔが突き当たるまで用紙搬送方向と直交する用紙幅方向に移動する。
【００６３】
突き当てガイド３６３の用紙搬送方向下流側（図３（ｂ１）では上側）に、用紙２１０の側面３０１Ｔに接触して側面３０１Ｔに付着したトナーを削りとって清掃する清掃モジュール３６４が設けられている。清掃モジュール３６４は、後述するように、例えば、表面がやすりになっている回転部材を有している。
【００６４】
清掃モジュール３６４は、腕モジュール３６５に回転可能に取り付けられており、ソレノイド３６６とバネ３６７により、用紙２１０の側面３０１Ｔに接触可能な接触位置（図３（ｂ１）の位置）と、用紙２１０の側面３０１Ｔから離間した離間位置（図３（ｂ２）の位置、媒体である用紙２１０とは反対方向）とに移動可能である。なお、清掃モジュール３６４を用紙２１０に押しつけることによって、その用紙２１０にしわがよらないように、ばね等の弾性部材の退避機構を設けておいてもよい。
【００６５】
接触位置において、清掃モジュール３６４は突き当てガイド３６３より用紙搬送領域に突出した状態となり、離間位置において、清掃モジュール３６４は用紙搬送領域外に退避状態となる。
【００６６】
用紙２１０の側面３０１Ｔに対して接触状態と非接触状態を切り換えることにより、縁なし印刷を行わないときは、清掃モジュール３６４を接触させないことで用紙２１０に対する搬送負荷を低減し、清掃モジュール３６４の寿命を向上できる。
【００６７】
なお、縁なし印刷の比率や清掃モジュール３６４の強度によりこのような切り換え機構（腕モジュール３６５、ソレノイド３６６、バネ３６７）は必須ではなく、清掃モジュール３６４を固定してもよい。
【００６８】
また、図３（ｂ３）に示すように、搬送コロ３６２、突き当てガイド３６３、清掃モジュール３６４を、用紙搬送領域の用紙幅方向両側（用紙搬送方向の左右）に用紙搬送方向上流側と下流側にずらして２組設けた構成としてもよい。
【００６９】
これにより、図３（ｂ３）中の用紙搬送方向の右側の搬送コロ３６２、突き当てガイド３６３、清掃モジュール３６４で、上述の如く側面３０１Ｔ１を清掃された用紙２１０は、搬送コロ３６２により図３（ｂ３）中の用紙搬送方向の左側に向けて斜めに送られる。そして、左側の突き当てガイド３６３に接触して、左側の清掃モジュール３６４により側面３０１Ｔ２を清掃される。
【００７０】
このように、反対側の側面３０１Ｔも清掃し用紙２１０の両側面３０１Ｔ１、３０１Ｔ２を中間搬送路ユニットを通過させることで清掃することが可能である。
【００７１】
さらに以上説明したように、突き当てガイド３６３に突き当てて搬送を行っているため、用紙２１０の横方向位置が揃い、排出トレイに積載された用紙束の整列度が向上する。
なお、この例では、搬送コロ３６２を用いて、用紙２１０を斜め方向に搬送しているが、搬送コロ３６２を用いずに、単に、上流から下流に搬送するようにしてもよい。その場合は、清掃モジュール３６４等を対面させてもよい。
【００７２】
なお、第１の実施の形態は、用紙に白い部分が全くない状態のみならず、用紙の一部の側面に及んでトナー像が形成されているのであれば、効果を奏する。
【００７３】
図４は、第１の実施の形態の処理例を示す説明図である。削りカス（汚れ）の回収機構の例を示すものである。削りモジュール４１０、回収モジュール４２０、吸引孔モジュール４３０、清掃モジュール４４０、吸引モジュール４５０は、図３の例に示した清掃モジュール３６４、腕モジュール３６５を構成する。
削りモジュール４１０には、回転部材を備えている。
図４（ａ１）の例は、削りモジュール４１０と回収モジュール４２０の位置関係を示したものである。削りモジュール４１０の下に回収モジュール４２０が位置している。回収モジュール４２０は、回転部材による削りカスを回収する。つまり、回収モジュール４２０は、削りモジュール４１０の回転部材によって削りとられ、下方に落ちてくる汚れ（削りカス）を受け止める容器である。
図４（ａ２）の例は、側面から見た場合の削りモジュール４１０と回収モジュール４２０の位置関係を示したものである。回収モジュール４２０は、削りモジュール４１０の前面（回転部材のある面、用紙と接触する面）より張り出している。
【００７４】
図４（ｂ１）の例は、削りモジュール４１０と吸引孔モジュール４３０の位置関係を示したものである。なお、清掃モジュール４４０は、削りモジュール４１０と、その下に吸引孔モジュール４３０を有している。
吸引孔モジュール４３０は、吸引孔を有しており、削りカスを吸引する。吸引孔は、複数あってもよい。
図４（ｂ２）の例は、側面から見た場合の削りモジュール４１０と吸引孔モジュール４３０と吸引モジュール４５０の位置関係を示したものである。
吸引モジュール４５０は、削りモジュール４１０の回転部材によって削りとられ、下方に落ちてくる汚れ（削りカス）を吸引孔モジュール４３０の吸引孔から吸引する。ここでの吸引は、空気の流れ（吸引孔モジュール４３０の吸引孔から削りカスを吸引する方向の空気の流れ）、磁力、又はこれらの組み合わせによって行う。特に、トナーが磁性体である場合は、磁力による吸引も効果がある。
【００７５】
図４（ｃ１）の例は、削りモジュール４１０と吸引孔モジュール４３０と回収モジュール４２０の位置関係を示したものである。
図４（ｃ２）の例は、側面から見た場合の削りモジュール４１０と吸引孔モジュール４３０と吸引モジュール４５０と回収モジュール４２０の位置関係を示したものである。
つまり、図４（ａ）の例と図４（ｂ）の例の組み合わせたものである。いずれか一方の構成である場合よりも、削りカスをより回収することができる。
【００７６】
図５は、第１の実施の形態の処理例を示す説明図である。図５は、画像（印刷データ）の調整方法の例を示すものである。
清掃、つまり、用紙を削ると、その用紙上の画像が消えることとなる。
図５（ａ１）の例に示すように、用紙２１０ａに印刷対象画像２２０ａを縁なし印刷した場合、印刷対象画像２２０ａの左縁に画像５５０ａがある場合、削り量５３５ａで清掃をした場合、画像５５０ａの左端が削れてしまうことになる。つまり、印刷対象画像２２０ａの削り領域５３０ａの左部分が消失してしまうことになる。なお、図５の例は、削り量をわかりやすくするために、実際よりも大きくしている。
そこで、図５（ａ２）の例に示すように、印刷対象画像２２０ａを削り量５３５ａの分だけシフトする。図５（ａ２）の例では、右方向へのシフトであるが、印刷対象画像２２０ａの右端を清掃する場合は、削り量５３５ａの分だけ左方向へシフトすればよい。また、印刷対象画像２２０ａ内の削り領域５３０ａ内に画像があるか否かを検査し、左端だけにある場合（右端は縁あり印刷）は右方向へのシフトし、右端だけにある場合（左端は縁あり印刷）は左方向へシフトすればよい。両端に画像がある場合は、印刷対象画像２２０ａを削り量５３５ａの２倍の分だけ小さくなるように縮小すればよい。なお、この縮小は、印刷対象画像２２０ａ全体の縮小であってもよいし、横幅方向だけの縮小であってもよい。
【００７７】
図５（ｂ１）の例に示すように、用紙２１０ｂに印刷対象画像２２０ｂを縁なし印刷した場合、印刷対象画像２２０ｂの左縁に画像５５０ｂがある場合、削り量５３５ｂで清掃をした場合、画像５５０ｂの左端が削れてしまうことになる。つまり、印刷対象画像２２０ｂの削り領域５３０ｂの左部分が消失してしまうことになる。
ここでは、印刷対象画像２２０ｂに対して、予め前述の縮小をしておく。常に削り量５３５ｂの分を削りとることができるとは限らない。特に、削り量５３５ｂよりも少なく削ってしまった場合は、縁なし印刷であるにもかかわらず、縁（余白）ができることになってしまう。そこで、削り量５３５ｂの分だけ、端にある画像５５０ｂを延長させる。つまり、図５（ｂ２）の例に示すように、削り量５３５ｂの分だけ、画像５５０ｂ（印刷対象画像２２０ｂ）を左方向に延長させた延長画像５５０ｃを生成して縁なし印刷を行う。このようにすることによって、削り量５３５ｂよりも少ない量で削った場合であっても、縁なし印刷とすることができる。
また、印刷対象画像２２０ｂ内の削り領域５３０ｂ内に画像があるか否かを検査し、左端だけにある場合は左方向に延長し、右端だけにある場合は右方向に延長すればよい。両端に画像がある場合は、印刷対象画像２２０ｂの両端を削り量５３５ｂだけ延長すればよい。なお、この延長は、拡大を含めてもよい。なお、この拡大は、印刷対象画像２２０ｂ全体の拡大であってもよいし、横幅方向だけの拡大であってもよい。
なお、削り量５３５ａ（削り量５３５ｂ）の値は、予め設定されている。その設定にしたがって、印刷対象画像２２０ａ（印刷対象画像２２０ｂ）の補正値を各印刷データに反映（縮小処理又は延長処理）させる。
【００７８】
図６は、第１の実施の形態の処理例を示す説明図である。図６は、用紙を削る方向に回転してからの搬送の例を示すものである。
前述したように、清掃は、搬送しているときに行われる。したがって、搬送方向の両側又は片面が清掃されることになる。片側のみを清掃する構成である場合は、反対方向は清掃されないことになる。そこで、縁なし印刷する辺を清掃されるようにするために、清掃前に、用紙を回転させるようにする。
図６（ａ１）の例では、用紙２１０ａ１には、画像６５０ａ１が印刷されており（右端が縁なし印刷）、左端を清掃する場合、このままでは、右端が清掃されないことになる。
そこで、図６（ａ２）の例に示す用紙２１０ａ２のように、図６（ａ１）に示す用紙２１０ａ１を１８０度回転させ、清掃される左端に画像６５０ａ２がくるようにしている。
図６（ｂ１）の例では、用紙２１０ｂ１には、画像６５０ｂ１が印刷されており（上端が縁なし印刷）、左端を清掃する場合（又は左端と右端の両方を清掃する場合であっても）、このままでは、上端が清掃されないことになる。
そこで、図６（ｂ２）の例に示す用紙２１０ｂ２のように、図６（ｂ１）に示す用紙２１０ｂ１を左方向に９０度回転させ、清掃される左端に画像６５０ｂ２がくるようにしている。
【００７９】
図７は、第１の実施の形態の処理例を示す説明図である。図７は、複数枚の用紙の側面の汚れの落とし方の例を示すものである。
図７（ａ）の例に示すように、画像の定着後の用紙に回転する清掃部材７１０をあてて、側面汚れ７５０を落とす。清掃部材７１０は、球体で表面はやすりのようにざらざらになっている。また、清掃部材７１０は、従動ロール（用紙２１０の搬送に逆らわずに回転する円筒体）で表面はやすりのようにざらざらになっていてもよい。清掃部材７１０は、用紙２１０の側面にあたる面が可変的になっている。
そして、図７（ａ）の例に示すように、搬送経路において、用紙２１０に対して、印刷面（画像７１５）が下になるようにしている（又は、用紙２１０の印刷面（画像７１５）が下になる搬送経路部分に、清掃部材７１０を設ける）。これによって、汚れが回収モジュール４２０に回収されやすくする。もちろんのことながら、清掃部材７１０は、搬送経路の両側又は片面に設けられている。
そして、清掃部材７１０が用紙２１０にあたる角度は、印字面側ではない部分が上部になり押し当てる形状が好ましい。両面印刷時は、位置を調整しなおす。清掃部材７１０を上下させるか、用紙２１０の設置位置を上下させることで調整させる。
さらに、用紙２１０が清掃部材７１０を押しつける力でつぶれてしわしわにならないように、清掃部材７１０に対して、ばね等の弾性部材の退避機構を設けることによって、清掃部材７１０が用紙２１０とは反対方向に待避可能として、その押しつける力を緩和してもよい。
【００８０】
また、一枚の用紙２１０が清掃対象であると、コシがなく清掃部材７１０の押し当てる力に負けるが、用紙２１０を束ねて複数枚にしてから清掃するようにして、用紙２１０にしわがよらないようにしてもよい。
つまり、図７（ｂ）の例に示すように、用紙２１０を複数枚重ねた後に、用紙束２１５に対して清掃を行うようにしてもよい。この場合、用紙束２１５の側面と接触する清掃部材７１０を複数設けてもよい。その個数は、用紙束２１５の最大厚みに対応できる個数である。そして、用紙束２１５の清掃する側面（特に、側面の縦方向）に隙間ができないように、複数の清掃部材７１０を配置する。例えば、図７（ｂ）の例に示すように、３つの清掃部材７１０（清掃部材７１０ａ、清掃部材７１０ｂ、清掃部材７１０ｃ）で、用紙束２１５の厚み以上となる。そして、清掃部材７１０ａと清掃部材７１０ｂの間には、オーバーラップ７２０を設けるよう、清掃部材７１０ａと清掃部材７１０ｂを配置し、清掃部材７１０ａと清掃部材７１０ｃの間には、オーバーラップ７２５を設けるように清掃部材７１０ａと清掃部材７１０ｃを配置する。このようにすることによって、用紙束２１５の側面を隙間なく清掃でき、例えば、側面汚れ７５０ａ、側面汚れ７５０ｂ、側面汚れ７５０ｃを清掃することができる。
なお、例えば、清掃部材７１０を排紙保持モジュール１４０内に備え付けてもよい。この場合、用紙２１０を複数枚排出した後（例えば、印刷終了した後）に、清掃部材７１０が用紙端にそって移動し、汚れを削りとるようにしてもよい。そして、排紙保持モジュール１４０内の４面（用紙２１０にとっての上下左右の辺）に清掃部材７１０を設けてもよい。
【００８１】
図８は、第１の実施の形態の処理例を示す説明図である。図８は、汚れが落ちやすくするための前処理の例を示すものである。
図８（ａ）の例に示すように、圧力用ローラー８１０ａと圧力用ローラー８１０ｂによって、転写前の用紙２１０ａに圧力をかける。図８（ａ）の例では、左方向から右方向に用紙２１０が移動する。用紙２１０の側面の汚れが落ちやすいように、転写前に用紙２１０に圧力を掛けて伸ばして、トナーが付着しづらい（付着しても弱い）ようにする。つまり、用紙２１０が押しつぶされて、繊維同士が密着し、トナーを付着しづらくしている。また、表面も平滑化され（いわゆる、つるつるになり）、トナーを付着しづらくしている。
そして、この後、図８（ｂ）の例に示すように、圧力を掛けられた用紙２１０に縁なし印刷の転写を行う。
【００８２】
＜第２の実施の形態＞
図９は、第２の実施の形態の構成例についての概念的なモジュール構成図を示している。
第２の実施の形態である情報処理装置９００は、画像形成装置１０００に対して印刷指示を行うものであって、図９の例に示すように、表示モジュール９０５、操作受付モジュール９１０、画像形成装置決定モジュール９２５、通信モジュール９３０を有している。なお、前述の実施の形態と同種の部位には同一符号を付し重複した説明を省略する（以下、同様）。
ここでの情報処理装置９００は、特に、携帯可能な情報処理装置であって、画像形成装置１０００との通信は、無線通信であってもよい。具体的には、スマートフォン等が該当する。また、通信は、ＷｉＦｉ、可視光通信等であってもよい。つまり、情報処理装置９００と画像形成装置１０００とは固定された関係ではなく、操作者（又は情報処理装置９００）の位置によって、画像形成装置１０００は変わり得るものであって、複数ある場合もある。
【００８３】
表示モジュール９０５は、操作受付モジュール９１０と接続されている。表示モジュール９０５は、画像を表示する。
また、表示モジュール９０５は、印刷可能な画像形成装置１０００が複数ある場合は、その画像形成装置１０００（複数）を選択可能に表示する。
さらに、表示モジュール９０５は、地図上に画像形成装置１０００を選択可能に表示するようにしてもよい。例えば、コンビニエンスストア、その他のパブリックスペースに設置されている画像形成装置１０００を選択できるようになる。また、臨時的にシェアできる画像形成装置１０００を含めてもよい。例えば、企業に設置されている画像形成装置１０００も表示の対象となる。ただし、印刷する時点において、画像形成装置１０００がシェア状態、つまり、その企業の構成員ではない一般のユーザー（操作者）も、その画像形成装置１０００を使用可能となっていることを条件とする。
さらに、表示モジュール９０５は、操作者による画像形成装置１０００の選択にしたがって、その画像形成装置１０００の機能又は稼働情報を表示するようにしてもよい。特に、パブリックスペース等にある画像形成装置１０００を表示した場合、その画像形成装置１０００を指定すると、画像形成装置１０００のスペック、稼働情報を表示してもよい。そして、印刷指示を指定したり、印刷の予約をしたりしてもよい。
【００８４】
また、表示モジュール９０５は、予め定められた規則にしたがって、複数の画像形成装置１０００を順位付けして表示するようにしてもよい。
また、その規則として、
（１）情報処理装置９００の向きにある画像形成装置１０００の優先度を高くする、
（２）情報処理装置９００と接続状況が良好である画像形成装置１０００の優先度を高くする、
（３）情報処理装置９００との距離が短い画像形成装置１０００の優先度を高くする、
（４）印刷対象の印刷終了が早い画像形成装置１０００の優先度を高くする、
のいずれか１つ以上を用いるようにしてもよい。
また、表示モジュール９０５は、情報処理装置９００と画像形成装置１０００とを中継する中継装置１０９８に記憶されている規則を用いるようにしてもよい。
また、表示モジュール９０５は、印刷可能な画像形成装置１０００がない場合は、警告を行うようにしてもよい。警告は、印刷可能な画像形成装置１０００がない旨を示す文字表示、図形表示、点滅、音声出力、振動等、又は、これらの組み合わせであってもよい。
【００８５】
操作受付モジュール９１０は、領域決定モジュール９１５、印刷指示モジュール９２０を有しており、表示モジュール９０５、画像形成装置決定モジュール９２５と接続されている。操作受付モジュール９１０は、画像内の印刷対象となる領域の決定操作、印刷の指示操作を受け付ける。
【００８６】
領域決定モジュール９１５は、表示モジュール９０５によって表示されている画像から印刷対象となる領域を決定する。ここで「印刷対象」として、例えば、スマートフォンのディスプレイに表示された地図等がある。印刷において拡大して印刷するようにしてもよい。ここでの拡大は、情報処理装置９００の表示装置における表示よりも大きくするものである。そこで、情報処理装置９００は、画像形成装置１０００の設定として、拡大率を予め設定するようにしてもよい。また、ここでの「決定」には、スクリーンショットの操作を含めてもよい。つまり、この場合、スクリーンショットの操作だけで、印刷対象となる領域も決定されることになる。
【００８７】
印刷指示モジュール９２０は、領域決定モジュール９１５によって決定された領域内を対象とした印刷の指示操作を受け付ける。なお、ここでの「印刷の指示操作」は、明示的な操作であってもよいし、明示的な操作でなくてもよい。前者は、例えば、印刷ボタンを選択する等の操作が該当する。後者は、例えば、領域決定モジュール９１５により領域が決定されたこととしてもよい、つまり、この領域決定モジュール９１５により領域が決定されたことには、その領域の印刷指示も含まれていることになる。具体的には、情報処理装置９００上で、領域の決定であるスクリーンショットの操作が行われたならば、画像形成装置１０００を選択し、その画像形成装置１０００にスクリーンショットの画像を印刷させることになる。
【００８８】
画像形成装置決定モジュール９２５は、操作受付モジュール９１０、通信モジュール９３０と接続されている。画像形成装置決定モジュール９２５は、領域決定モジュール９１５によって決定された領域内を対象として、印刷指示モジュール９２０による印刷の指示操作が行われた場合に、印刷可能な画像形成装置１０００を決定する。ここで「印刷可能」には、通信による接続可能であることを含む。また、「印刷可能」には、通信接続以外にも、ステイプル、パンチ機能等のユーザーが求める機能が画像形成装置１０００に備わっていることを含めてもよい。さらに、第３の実施の形態で説明するように、印刷対象である画像に基づいて、画像形成装置１０００に縁なし印刷機能があることを含めてもよい。
【００８９】
通信モジュール９３０は、画像形成装置決定モジュール９２５と接続されている。通信モジュール９３０は、画像形成装置決定モジュール９２５によって決定された画像形成装置１０００に印刷指示を送信する。
また、通信モジュール９３０は、印刷指示モジュール９２０による印刷の指示操作が行われた場合は、操作者による画像形成装置１０００の選択操作なしに、印刷可能な画像形成装置１０００に印刷指示を送信するようにしてもよい。
また、通信モジュール９３０は、印刷指示が送信された後に、領域決定モジュール９１５によって連続して領域が決定された場合は、操作者による印刷の指示操作なしに、印刷可能な画像形成装置１０００に印刷指示を送信するようにしてもよい。これによって、連続して印刷する場合は、印刷の指示操作も不要とすることができるようになる。つまり、領域指定だけで２回目以降は、印刷することが可能となる。また、２回目以降の印刷指示を不要とする場合は、前回の印刷指示送信から予め定められた期間以内であること、情報処理装置９００が移動していないこと（すなわち、ユーザーが立ち止まって操作していること）、又は、情報処理装置９００と画像形成装置１０００との距離が予め定められた閾値未満又は以下であることを条件としてもよい。
また、通信モジュール９３０は、印刷における画像形成装置１０００の設定が既に行われている場合は、その設定が可能な画像形成装置１０００に印刷指示を送信するようにしてもよい。前述したように、ステイプル、パンチ機能等のユーザーが求める機能（既に行われている画像形成装置１０００の設定）が画像形成装置１０００に備わっていることを、送信先の条件に含めてもよい。
【００９０】
図１０は、第２の実施の形態を利用したシステム構成例を示す説明図である。
図１０（ａ）の例に示すように、携帯情報端末であるユーザー端末１０９０は、情報処理装置９００を有している。ユーザー端末１０９０と各画像形成装置１０００（画像形成装置１０００Ａ、画像形成装置１０００Ｂ、画像形成装置１０００Ｃ）は、通信回線１０９５を介して接続されている。ここでの通信回線１０９５は、無線通信回線であり、例えば、Ｗｉ−Ｆｉ通信、光通信（赤外線通信、可視光通信等を含む）等がある。
例えば、本実施の形態である情報処理装置９００を用いない場合（従来技術を用いる場合）、携帯情報端末でスクリーンショットを行って印刷指示を行うには、（１）印刷領域を指定し、（２）印刷用のアプリケーションや印刷指示を出すボタンを選択し、（３）設定画面上で印刷属性を設定したり等、印刷指示を出すまでにステップを複数経る必要がある。
情報処理装置９００では、ユーザーの操作性を改善させることを目的とする。特に情報処理装置９００では、どの画像形成装置１０００で出力するかの指示を省略可能にする。
例えば、情報処理装置９００は、ユーザーの操作によって、スクリーンショットが行われたならば、そのスクリーンショットによって生成された画像（情報処理装置９００の表示装置に表示されていた画像）を印刷するための印刷指示を、印刷可能な画像形成装置１０００に送信する。
【００９１】
図１０（ｂ）の例に示す構成では、中継装置１０９８にユーザー端末１０９０、画像形成装置１０００が、通信回線を介して接続されていてもよい。一般的には、中継装置１０９８とユーザー端末１０９０との間は、無線通信であるが、中継装置１０９８と画像形成装置１０００との間は、無線通信であってもよいし、有線通信であってもよい。
この場合、ユーザー端末１０９０と画像形成装置１０００は、中継装置１０９８を介して接続されている。中継装置１０９８は、画像形成装置１０００の機能、処理状況等を管理しており、それらの情報をユーザー端末１０９０に提供してもよい。その場合、中継装置１０９８に記憶されている規則にしたがって、画像形成装置１０００を順位付けしてもよい。
【００９２】
図１１は、第２の実施の形態による処理例を示すフローチャートである。
ステップＳ１１０２では、表示モジュール９０５は、画像を表示する。
ステップＳ１１０４では、領域決定モジュール９１５は、領域の設定指示を受け付ける。
ステップＳ１１０６では、印刷指示モジュール９２０は、印刷指示を受け付けたか否かを判断し、受け付けた場合はステップＳ１１０８へ進み、それ以外の場合は印刷指示を受け付けるまで待機する。
【００９３】
ステップＳ１１０８では、画像形成装置決定モジュール９２５は、印刷可能な画像形成装置１０００を特定する。ステップＳ１１０８の詳細な処理については、図１２又は図１３の例に示すフローチャートを用いて後述する。
ステップＳ１１１０では、画像形成装置決定モジュール９２５は、印刷可能な画像形成装置１０００を特定できたか否かを判断し、特定できた場合はステップＳ１１１２へ進み、それ以外の場合はステップＳ１１１４へ進む。
ステップＳ１１１２では、通信モジュール９３０は、特定された画像形成装置１０００に印刷指示を送信する。
ステップＳ１１１４では、表示モジュール９０５は、警告を表示する。
【００９４】
図１２は、第２の実施の形態（主に、画像形成装置決定モジュール９２５）による処理例を示すフローチャートである。
ステップＳ１２０２では、通信可能な画像形成装置１０００を取得する。
ステップＳ１２０４では、通信可能な画像形成装置１０００は１つか否かを判断し、１つの場合はステップＳ１２０６へ進み、それ以外の場合はステップＳ１２０８へ進む。
ステップＳ１２０６では、通信可能な画像形成装置１０００を印刷可能な画像形成装置１０００とする。
【００９５】
ステップＳ１２０８では、複数の画像形成装置１０００を予め定められた規則に沿って順位付けする。予め定められた規則として、前述したように、（１）情報処理装置９００の向きにある画像形成装置１０００の優先度を高くする、（２）情報処理装置９００と接続状況が良好である画像形成装置１０００の優先度を高くする、（３）情報処理装置９００との距離が短い画像形成装置１０００の優先度を高くする、（４）印刷対象の印刷終了が早い画像形成装置１０００の優先度を高くする、のいずれか１つ以上を用いる。情報処理装置９００の向きは、例えば、情報処理装置９００内の磁気センサー、ジャイロセンサー等を用いて、検知すればよい。情報処理装置９００の位置を情報処理装置９００内のＧＰＳ（Ｇｌｏｂａｌ  Ｐｏｓｉｔｉｏｎｉｎｇ  Ｓｙｓｔｅｍ）を用いて計測する。画像形成装置１０００の位置を、その画像形成装置１０００から取得してもよいし、中継装置１０９８から取得してもよい。そして、情報処理装置９００の位置と向き、画像形成装置１０００の位置を用いて、情報処理装置９００の向きにある画像形成装置１０００を特定すればよい。情報処理装置９００と画像形成装置１０００の接続状況については、情報処理装置９００の無線通信機能を用いて検知すればよい。情報処理装置９００と画像形成装置１０００間の距離は、前述したように、両者の位置から算出すればよい。画像形成装置１０００での印刷対象の印刷終了時間は、画像形成装置１０００における印刷状況（印刷予約を含めてもよい）、印刷速度を取得して、印刷対象に対しての印刷終了時間を算出すればよい。
【００９６】
ステップＳ１２１０では、順位付けにしたがって、複数の画像形成装置１０００を提示する。
ステップＳ１２１２では、ユーザーの選択操作を受け付ける。
ステップＳ１２１４では、選択された画像形成装置１０００を印刷可能な画像形成装置１０００とする。
【００９７】
図１３は、第２の実施の形態（主に、画像形成装置決定モジュール９２５）による処理例を示すフローチャートである。
ステップＳ１３０２では、通信可能な画像形成装置１０００を取得する。
ステップＳ１３０４では、印刷の設定を取得する。前述したように、ステイプル、パンチ、縁なし印刷等の設定が該当する。
【００９８】
ステップＳ１３０６では、その設定が可能な画像形成装置１０００はあるか否かを判断し、ある場合はステップＳ１３０８へ進み、それ以外の場合はステップＳ１３１０へ進む。例えば、設定可能であるか否かについては、画像形成装置１０００に、その画像形成装置１０００が有している機能を問い合わせてもよいし、中継装置１０９８に問い合わせてもよい。
ステップＳ１３０８では、その設定が可能な画像形成装置１０００を印刷可能な画像形成装置１０００とする。
ステップＳ１３１０では、図１２の例に示したフローチャートのステップＳ１２０４〜ステップＳ１２１４までの処理を行う。
【００９９】
図１４は、第２の実施の形態による処理例を示す説明図である。
ユーザー１４００は、ユーザー端末１０９０を操作している。ユーザー端末１０９０と画像形成装置１０００Ａは、接続している。ユーザー端末１０９０と画像形成装置１０００Ｂは、接続されていない。
ここで、図１５の例に示すような操作を、ユーザー１４００がユーザー端末１０９０で行う。
図１５（ａ）の例に示すように、ユーザー端末１０９０の画面１５００上で、地図の画像を表示しており、ここで、スクリーンショットの操作を行う。このスクリーンショットの操作は、「印刷対象となる領域を決定する操作」に該当する。そして、印刷指示ボタン１５５０を表示する。この印刷指示ボタン１５５０が選択された場合が、「印刷の指示操作が行われた場合」に該当する。したがって、情報処理装置９００は、印刷可能な画像形成装置１０００を探索する。この場合は、ユーザー端末１０９０と画像形成装置１０００Ａとが接続されているので、図１５（ｂ）の例に示すような表示を行う。つまり、画面１５００にメッセージ領域１５６０を表示し、そのメッセージ領域１５６０内に「画像形成装置１０００Ａで出力します」と表示する。この後、情報処理装置９００が画像形成装置１０００Ａに印刷指示を送信してもよいし、さらに、「はい」ボタン、「いいえ」ボタン等を表示して、ユーザー１４００に確認させるようにしてもよい。
【０１００】
図１６は、第２の実施の形態による処理例を示す説明図である。図１６は、画像形成装置１０００の印刷における「ステイプル設定」が既に行われている場合の処理例を示している。つまり、印刷指定前に、「ステイプル設定」が既に行われており、それ以降は「ステイプル設定」の印刷指示となる。
画像形成装置１０００Ａは、「ステイプル機能あり」である。画像形成装置１０００Ｂは、「ステイプル機能なし」である。
【０１０１】
ここで、図１７の例に示すような操作を、ユーザー１４００がユーザー端末１０９０で行う。
図１７（ａ）の例に示すように、ユーザー端末１０９０の画面１５００上で、地図の画像を表示しており、ここで、スクリーンショットの操作を行う。このスクリーンショットの操作は、「印刷対象となる領域を決定する操作」に該当する。そして、ステイプル加工印刷指示ボタン１７５０を表示する。このステイプル加工印刷指示ボタン１７５０が選択された場合が、「印刷の指示操作が行われた場合」に該当する。なお、ユーザー１４００は、印刷を行う場合は、予めステイプル加工印刷であることを設定しておく。
次に、情報処理装置９００は、印刷可能な画像形成装置１０００を探索する。この場合は、ユーザー端末１０９０と画像形成装置１０００Ａとが接続されており、画像形成装置１０００Ａはステイプル可能であるので、図１７（ｂ）の例に示すような表示を行う。なお、ユーザー端末１０９０と画像形成装置１０００Ｂとが接続されていたとしても、画像形成装置１０００Ｂは「ステイプル機能なし」であるので、印刷可能な画像形成装置１０００とは判断しない。そして、画面１５００にメッセージ領域１７６０を表示し、そのメッセージ領域１７６０内に「画像形成装置１０００Ａでステイプルして出力します」と表示する。この後、情報処理装置９００が画像形成装置１０００Ａに印刷指示（ステイプル加工付き印刷指示）を送信してもよいし、さらに、「はい」ボタン、「いいえ」ボタン等を表示して、ユーザー１４００に確認させるようにしてもよい。
もちろんのことながら、ステイプル機能だけでなく、パンチ機能を使用する印刷、縁なし印刷等の設定が予め行われている場合は、画像形成装置１０００にパンチ機能を使用する印刷、縁なし印刷等が可能であるか否かを判断し、可能である画像形成装置１０００を選択すればよい。
【０１０２】
図１８は、第２の実施の形態による処理例を示す説明図である。図１８は、印刷可能である画像形成装置１０００が複数ある場合の処理例を示している。
ユーザー端末１０９０は、画像形成装置１０００Ａを用いて印刷可能である。ユーザー端末１０９０は、画像形成装置１０００Ｂを用いては印刷不可である。ユーザー端末１０９０は、画像形成装置１０００Ｃを用いて印刷可能である。図１９、図２０の例を用いて、ユーザー端末１０９０の画面１５００上の表示を説明する。
【０１０３】
ここで、図１９の例に示すような操作を、ユーザー１４００がユーザー端末１０９０で行う。
図１９（ａ）の例に示すように、ユーザー端末１０９０の画面１５００上で、地図の画像を表示しており、ここで、スクリーンショットの操作を行う。このスクリーンショットの操作は、「印刷対象となる領域を決定する操作」に該当する。そして、メッセージ領域１９１０、印刷装置Ａ指示ボタン１９５０、矢印ボタン１９４５、矢印ボタン１９５５を表示する。この印刷装置Ａ指示ボタン１９５０が選択された場合が、「印刷の指示操作が行われた場合」に該当する。印刷可能な画像形成装置１０００が複数あるので、メッセージ領域１９１０内に「出力する機器を選択してください」と表示する。そして、画像形成装置１０００を選択できるように、印刷装置Ａ指示ボタン１９５０の他に、矢印ボタン１９４５、矢印ボタン１９５５を表示して、矢印ボタン１９４５、矢印ボタン１９５５が選択された場合は、画像形成装置１０００Ｃの選択ボタンを表示する。
そして、印刷装置Ａ指示ボタン１９５０が選択された場合、図１９（ｂ）の例に示すように、画面１５００にメッセージ領域１９６０を表示し、そのメッセージ領域１９６０内に「画像形成装置１０００Ａで出力します」と表示する。この後、情報処理装置９００が画像形成装置１０００Ａに印刷指示を送信してもよいし、さらに、「はい」ボタン、「いいえ」ボタン等を表示して、ユーザー１４００に確認させるようにしてもよい。
【０１０４】
図１８の例に示した状態で、図２０の例に示すような操作を、ユーザー１４００がユーザー端末１０９０で行う。
図２０（ａ）の例に示すように、ユーザー端末１０９０の画面１５００上で、地図の画像を表示しており、ここで、スクリーンショットの操作を行う。このスクリーンショットの操作は、「印刷対象となる領域を決定する操作」に該当する。そして、メッセージ領域２０１０、印刷装置Ａ指示ボタン２０５０、印刷装置Ｃ指示ボタン２０５５を表示する。この印刷装置Ａ指示ボタン２０５０又は印刷装置Ｃ指示ボタン２０５５が選択された場合が、「印刷の指示操作が行われた場合」に該当する。印刷可能な画像形成装置１０００が複数あるので、メッセージ領域２０１０内に「出力する機器を選択してください」と表示する。そして、画像形成装置１０００を選択できるように、印刷装置Ａ指示ボタン２０５０、印刷装置Ｃ指示ボタン２０５５を表示する。
そして、印刷装置Ａ指示ボタン２０５０が選択された場合、図２０（ｂ）の例に示すように、画面１５００にメッセージ領域２０６０を表示し、そのメッセージ領域２０６０内に「画像形成装置１０００Ａで出力します」と表示する。この後、情報処理装置９００が画像形成装置１０００Ａに印刷指示を送信してもよいし、さらに、「はい」ボタン、「いいえ」ボタン等を表示して、ユーザー１４００に確認させるようにしてもよい。
【０１０５】
図２１は、第２の実施の形態による処理例を示す説明図である。図２１は、印刷可能である画像形成装置１０００が複数あり、優先順位を付けて画像形成装置１０００を表示する場合の処理例を示している。
ユーザー端末１０９０は、画像形成装置１０００Ａを用いて印刷可能であり、優先順位が高い。ユーザー端末１０９０は、画像形成装置１０００Ｂを用いては印刷不可である。ユーザー端末１０９０は、画像形成装置１０００Ｃを用いて印刷可能ではあるが、画像形成装置１０００Ａより優先順位が低い。
【０１０６】
ここで、図２２の例に示すような操作を、ユーザー１４００がユーザー端末１０９０で行う。
図２２（ａ）の例に示すように、ユーザー端末１０９０の画面１５００上で、地図の画像を表示しており、ここで、スクリーンショットの操作を行う。このスクリーンショットの操作は、「印刷対象となる領域を決定する操作」に該当する。そして、メッセージ領域２２１０、印刷装置Ａ指示ボタン２２５０、矢印ボタン２２４５、矢印ボタン２２５５を表示する。ここで最初に優先順位が高い印刷装置Ａ指示ボタン２２５０を表示する。つまり、優先的に表示すべきと判定された画像形成装置１０００Ａが最初に表示される。もちろんのことながら、選択画面を省略して、最も高い優先順位である画像形成装置１０００Ａに印刷指示を行うようにしてもよい。この印刷装置Ａ指示ボタン２２５０が選択された場合が、「印刷の指示操作が行われた場合」に該当する。印刷可能な画像形成装置１０００が複数あるので、メッセージ領域２２１０内に「出力する機器を選択してください」と表示する。そして、画像形成装置１０００を選択できるように、印刷装置Ａ指示ボタン２２５０の他に、矢印ボタン２２４５、矢印ボタン２２５５を表示して、矢印ボタン２２４５、矢印ボタン２２５５が選択された場合は、次に優先順位の高い画像形成装置１０００Ｃの選択ボタンを表示する。なお、矢印ボタン２２５５が選択された場合は、より優先順位の高い画像形成装置１０００への印刷ボタンを表示し、矢印ボタン２２４５が選択された場合は、より優先順位の低い画像形成装置１０００への印刷ボタンを表示してもよい。
そして、印刷装置Ａ指示ボタン２２５０が選択された場合、図２２（ｂ）の例に示すように、画面１５００にメッセージ領域２２６０を表示し、そのメッセージ領域２２６０内に「画像形成装置１０００Ａで出力します」と表示する。この後、情報処理装置９００が画像形成装置１０００Ａに印刷指示を送信してもよいし、さらに、「はい」ボタン、「いいえ」ボタン等を表示して、ユーザー１４００に確認させるようにしてもよい。
【０１０７】
なお、印刷可能な画像形成装置１０００が複数ある場合は、図２２（ａ）の例では、矢印ボタン２２５５等で選択可能に表示し、図２０（ａ）の例では、印刷可能な画像形成装置１０００を並べて表示したが、図２３の例に示すように、ユーザー端末１０９０の位置をユーザー端末１０９０内のＧＰＳで検知し、その位置の周囲の地図を表示し、その地図上で、画像形成装置１０００がある位置に、それぞれの印刷ボタンを表示するようにしてもよい。つまり、ユーザー１４００は、周辺の地図上で近い画像形成装置１０００を選択することができるようになる。図２３の例では、印刷可能な画像形成装置１０００が３台あり、それぞれの位置を示す印刷装置Ａ指示ボタン２３５０、印刷装置Ｂ指示ボタン２３６０、印刷装置Ｃ指示ボタン２３７０を、ユーザー位置２３２０とともに表示してもよい。
また、印刷ボタンとして、現実の画像形成装置１０００の写真画像（サムネイル画像）を表示するようにしてもよい。ユーザー１４００は、実際に用いる画像形成装置１０００を識別できるようになる。
また、特に、ユーザー端末１０９０が会社外にある場合に、ユーザー端末１０９０の周辺の地図上を表示し、その地図上で画像形成装置１０００を表示することを行うようにしてもよい。ユーザー端末１０９０を保持しているユーザー１４００にとって、どこに画像形成装置１０００があるのかがわからない場合が多いからである。そのために、会社内の範囲をユーザー端末１０９０内に予め登録しておき、ユーザー端末１０９０内のＧＰＳで検知した位置が、その範囲外であるか否かを判断して、範囲外である場合は、図２３の例に示すように、ユーザー端末１０９０の周辺の地図を表示し、その地図上で画像形成装置１０００を表示することを行い、範囲内である場合は、図２０（ａ）の例に示すような表示を行う。
【０１０８】
図２４は、第２の実施の形態による処理例を示す説明図である。図２４は、印刷可能な画像形成装置１０００が１つもない場合に、警告を行う処理例を示している。
ユーザー端末１０９０は、画像形成装置１０００Ａを用いては印刷不可である。ユーザー端末１０９０は、画像形成装置１０００Ｂを用いては印刷不可である。ユーザー端末１０９０は、画像形成装置１０００Ｃを用いては印刷不可である。
【０１０９】
ここで、図２５の例に示すような操作を、ユーザー１４００がユーザー端末１０９０で行う。
図２５（ａ）の例に示すように、ユーザー端末１０９０の画面１５００上で、地図の画像を表示しており、ここで、スクリーンショットの操作を行う。このスクリーンショットの操作は、「印刷対象となる領域を決定する操作」に該当する。そして、メッセージ領域２５１０を表示する。印刷可能な画像形成装置１０００がないので、メッセージ領域２５１０内に「出力可能な機器が存在しません。ネットワークや印刷設定を再確認してください」と表示する。このような文字表示の他に、図形表示、点滅、音声出力、振動等、又は、これらの組み合わせで警告を行うようにしてもよい。
そして、メッセージ領域２５１０が選択された場合又は予め定められた時間が経過した後に、図２５（ｂ）の例に示すように、画面１５００に印刷設定領域２５２０を表示する。印刷設定領域２５２０の詳細な内容は、図２５（ｃ）の例に示す。印刷設定領域２５２０は、用紙サイズ指定欄２５２２、印刷の向き指定欄２５２４、部数指定欄２５２６、縁なし印刷指定欄２５２８、ステイプル加工指定欄２５３０を有している。ここでは、用紙サイズ指定欄２５２２は「Ａ４」が指定されており、印刷の向き指定欄２５２４は「縦」が指定されており、部数指定欄２５２６は「１部」が指定されており、縁なし印刷指定欄２５２８は「縁なし印刷する」が指定されており、ステイプル加工指定欄２５３０は「ステイプル加工する」が指定されている。印刷設定領域２５２０内で、設定が変更されることによって、印刷可能となる画像形成装置１０００が発生する可能性がある。また、通信不可である場合は、その旨の警告を行うようにしてもよい。
【０１１０】
図２６は、第２の実施の形態による処理例を示すフローチャートである。図１１の例に示したフローチャートを、図２６の例に示すようなフローチャートにしてもよい。
ステップＳ２６０２では、表示モジュール９０５は、画像を表示する。
ステップＳ２６０４では、領域決定モジュール９１５は、領域の設定指示を受け付ける。
ステップＳ２６０６では、印刷指示モジュール９２０は、既に印刷指示が送信されているか否かを判断し、送信されている場合はステップＳ２６１０へ進み、それ以外の場合はステップＳ２６０８へ進む。続けて印刷指示を行う可能性が高いので、２回目以降の印刷指示を省略している。なお、前回の印刷指示送信から予め定められた期間以内であること、ユーザー端末１０９０が移動していないこと（すなわち、ユーザーが立ち止まって操作していること）、又は、ユーザー端末１０９０と画像形成装置１０００（前回の印刷指示を送信した画像形成装置１０００）との距離が予め定められた閾値未満又は以下であることを条件としてもよい。
【０１１１】
ステップＳ２６０８では、印刷指示モジュール９２０は、印刷指示を受け付けたか否かを判断し、受け付けた場合はステップＳ２６１０へ進み、それ以外の場合は印刷指示を受け付けるまで待機する。
ステップＳ２６１０では、画像形成装置決定モジュール９２５は、印刷可能な画像形成装置１０００を特定する。ステップＳ２６１０の詳細な処理については、図１２又は図１３の例に示すフローチャートを用いて前述した。
ステップＳ２６１２では、画像形成装置決定モジュール９２５は、印刷可能な画像形成装置１０００を特定できたか否かを判断し、特定できた場合はステップＳ２６１４へ進み、それ以外の場合はステップＳ２６１６へ進む。
ステップＳ２６１４では、通信モジュール９３０は、特定された画像形成装置１０００に印刷指示を送信する。
ステップＳ２６１６では、表示モジュール９０５は、警告を表示する。
【０１１２】
＜第３の実施の形態＞
第３の実施の形態である画像形成指示装置２７００は、縁なし印刷と非縁なし印刷（いわゆる縁あり印刷）との両方ができる画像形成装置１０００に対して、縁なし印刷と非縁なし印刷のいずれかを指定するものであって、図２７の例に示すように、印刷データ受付モジュール２７０５、印刷属性設定モジュール２７１０、印刷指示モジュール２７３５を有している。
例えば、縁なし印刷モード（設定）と非縁なし印刷モード（設定）が存在する場合、印刷の都度ユーザーにいずれかのモードを設定させていると作業ステップ数が多くなり、操作に手間がかかってしまう。そこで、画像形成指示装置２７００は、その手間を省くために、縁なし印刷モード又は非縁なし印刷モードのいずれがより効果的な設定であるかを判断し、その判断結果にしたがってモードを優先的にセットする。
【０１１３】
印刷データ受付モジュール２７０５は、印刷属性設定モジュール２７１０の外縁検査モジュール２７１５と画像生成過程検知モジュール２７２０、印刷指示モジュール２７３５と接続されている。印刷データ受付モジュール２７０５は、画像形成装置１０００で印刷される印刷データを受け付けて、その印刷データを外縁検査モジュール２７１５、画像生成過程検知モジュール２７２０、印刷指示モジュール２７３５へ渡す。印刷データを受け付けるとは、例えば、スキャナ、カメラ等で画像を読み込むこと、ファックス等で通信回線を介して外部機器から画像を受信すること、ハードディスク（画像形成指示装置２７００に内蔵されているものの他に、通信回線を介して接続されているもの等を含む）等に記憶されている画像を読み出すこと等が含まれる。印刷データは、２値画像、多値画像（カラー画像を含む）であってもよい。受け付ける印刷データは、１枚であってもよいし、複数枚であってもよい。また、印刷データの内容として、ビジネスに用いられる文書、広告宣伝用のパンフレット等であってもよい。
【０１１４】
印刷属性設定モジュール２７１０は、外縁検査モジュール２７１５、画像生成過程検知モジュール２７２０、選択モジュール２７２５、提示モジュール２７３０を有しており、印刷指示モジュール２７３５と接続されている。印刷属性設定モジュール２７１０は、画像形成装置１０００に印刷を行わせる場合の印刷属性を設定するものであって、主に、印刷属性として、縁なし印刷と非縁なし印刷のいずれかを設定するものである。また、印刷属性設定モジュール２７１０は、画像形成装置１０００が縁なし印刷と非縁なし印刷の両方の設定ができるか否かを判断し、できる場合は印刷属性設定モジュール２７１０内の各モジュールに処理を行わせ、できない場合（いずれか一方の印刷しかできない場合）は、一般の印刷装置における印刷属性の設定（例えば、印刷部数、用紙サイズ、白黒／カラー印刷等の設定）を行うようにしてもよい。
【０１１５】
外縁検査モジュール２７１５は、印刷データ受付モジュール２７０５、選択モジュール２７２５と接続されている。外縁検査モジュール２７１５は、印刷データ受付モジュール２７０５が受け付けた印刷データの外縁に、印刷すべき画像があるか否かを検査する。ここで「印刷データの外縁」とは、印刷データの周辺部であって、その印刷データを媒体に印刷した場合に、媒体の縁となる部分である。つまり、印刷データの領域とそれを印刷する媒体との位置関係で決まるものである。
なお、印刷データは、矩形と限る必要はないが、矩形である場合は、外縁とは４辺の縁部分をいう。以下では、例示として矩形を用いて説明する。具体的には、図３１の例を用いて後述する。
【０１１６】
画像生成過程検知モジュール２７２０は、印刷データ受付モジュール２７０５、選択モジュール２７２５と接続されている。画像生成過程検知モジュール２７２０は、印刷データ受付モジュール２７０５が受け付けた印刷データの生成過程を検知する。生成過程として、印刷データがスクリーンショットによって生成されたものであること等がある。検知方法として、例えば、印刷データの属性として、画像の生成過程が含まれている場合は、その生成過程を抽出すればよい。また、印刷データの属性に限られず、その他のデータ等から抽出してもよい。例えば、印刷データを生成する装置（画像形成指示装置２７００に含まれていてもよい）から、印刷データを生成する操作（例えば、タッチパネルでは指の操作、又は、マウス等のポインタの操作）から生成過程を検知してもよい。また、印刷データを生成する操作ログ（操作履歴）から生成過程を検知してもよい。
【０１１７】
選択モジュール２７２５は、外縁検査モジュール２７１５、画像生成過程検知モジュール２７２０と接続されている。選択モジュール２７２５は、印刷データに基づいて、縁なし印刷用の設定と非縁なし印刷用の設定のいずれかを選択する。
また、選択モジュール２７２５は、印刷データの外縁の画像に基づいて、縁なし印刷用の設定と非縁なし印刷用の設定のいずれかを選択するようにしてもよい。ここで「印刷データの外縁の画像に基づいて」として、外縁検査モジュール２７１５による検知結果をいう。
また、選択モジュール２７２５は、印刷データの外縁に画像がある場合は、縁なし印刷用の設定を選択するようにしてもよい。「印刷データの外縁に画像がある場合」とは、印刷される媒体における外縁に、印刷されるべき印刷データがある場合である。
また、選択モジュール２７２５は、印刷データの外縁に画像がない場合は、非縁なし印刷用の設定を選択するようにしてもよい。
また、選択モジュール２７２５は、縁なし印刷用の設定又は非縁なし印刷用の設定を、印刷データの縁毎に選択できるようにしてもよい。なお、印刷データが矩形である場合は、辺毎（４辺それぞれ）に選択できることになる。
また、選択モジュール２７２５は、印刷データの生成過程に基づいて、縁なし印刷用の設定と非縁なし印刷用の設定のいずれかを選択するようにしてもよい。
また、選択モジュール２７２５は、印刷データがスクリーンショットによって生成された画像である場合は、縁なし印刷用の設定を選択するようにしてもよい。そして、印刷データがスクリーンショット以外の方法で生成された場合（例えば、文書作成プログラムによって作成された文書等である場合）は、非縁なし印刷用の設定を選択するようにしてもよい。
【０１１８】
提示モジュール２７３０は、選択モジュール２７２５による選択結果を提示する。選択結果として、縁なし印刷用の設定、非縁なし印刷用の設定のいずれかがある。
また、提示モジュール２７３０は、選択モジュール２７２５による選択結果を、操作者によって変更可能に提示するようにしてもよい。具体的には、操作者による変更操作として、選択モジュール２７２５による選択結果である縁なし印刷用の設定を非縁なし印刷用の設定に変更すること、逆に、選択モジュール２７２５による選択結果である非縁なし印刷用の設定を縁なし印刷用の設定に変更すること、がある。
【０１１９】
印刷指示モジュール２７３５は、印刷データ受付モジュール２７０５、印刷属性設定モジュール２７１０と接続されている。印刷指示モジュール２７３５は、印刷属性設定モジュール２７１０による印刷属性の設定にしたがって、印刷データ受付モジュール２７０５によって受け付けられた印刷データを画像形成装置１０００に印刷させるようにする印刷指示（印刷ジョブともいわれる）を生成し、その印刷指示を画像形成装置１０００に渡す。
また、印刷指示モジュール２７３５は、印刷データに対して、縁なし印刷用の設定と非縁なし印刷用の設定が混在する場合は、非縁なし印刷用の設定がされた縁を先頭にした画像を生成するようにしてもよい。なお、印刷データが矩形である場合は、非縁なし印刷用の設定がされた辺を先頭にした画像を生成することになる。
また、印刷指示モジュール２７３５は、印刷データを回転することによって、非縁なし印刷用の設定がされた縁を先頭にした画像を生成するようにしてもよい。なお、印刷データが矩形である場合は、非縁なし印刷用の設定がされた辺を先頭にした画像を生成することになる。
【０１２０】
図２８は、第３の実施の形態を利用したシステム構成例を示す説明図である。ここで、画像形成装置１０００は、縁なし印刷と非縁なし印刷との両方が可能な印刷装置である。画像形成装置１０００については、図３９以降の図を用いて後述する。
図２８（ａ）の例に示す画像形成装置１０００Ａは、画像形成指示装置２７００を有している。つまり、画像形成装置１０００の操作パネルの制御部の一部として画像形成指示装置２７００を組み込んでいる場合の例を示したものである。画像形成装置１０００Ａは、画像形成指示装置２７００での印刷指示にしたがって印刷を行う。
図２８（ｂ）の例に示すユーザー端末２８９０は、画像形成指示装置２７００を有している。画像形成装置１０００Ｂとユーザー端末２８９０は、通信回線を介して接続されている。ここでの通信回線は、無線、有線、これらの組み合わせであってもよく、例えば、通信インフラとしてのインターネット、イントラネット等であってもよい。例えば、ユーザー端末２８９０は、ノートＰＣであってもよいし、携帯情報通信端末等であってもよい。画像形成装置１０００Ｂは、ユーザー端末２８９０からの印刷指示にしたがって印刷を行う。
【０１２１】
図２９、図３０は、第３の実施の形態による処理例を示すフローチャートである。
ステップＳ２９０２では、印刷データ受付モジュール２７０５は、印刷指示を受け付ける。
ステップＳ２９０４では、印刷属性設定モジュール２７１０は、縁なし／あり（縁なし印刷／非縁なし印刷）の設定ができる印刷装置であるか否かを判断し、縁なし／ありの設定ができる印刷装置の場合はステップＳ２９０６へ進み、それ以外の場合はステップＳ２９２６へ進む。
ステップＳ２９０６では、外縁検査モジュール２７１５は、４辺のそれぞれの外縁を取得する。例えば、図３１は、第３の実施の形態による処理対象の外縁の例を示す説明図である。図３１（ａ）の例に示すように、印刷データ３１００には、外縁３１１０、外縁３１２０、外縁３１３０、外縁３１４０がある。図３１（ｂ）（ｃ）の例に示すように、外縁３１１０、外縁３１３０の幅３１１５と、外縁３１２０、外縁３１４０の幅３１２５は、縁あり印刷を行う場合の縁部分の幅である。なお、図３１（ｂ）の例では、外縁３１１０の幅３１１５と、外縁３１３０の幅３１１５は、同じとしているが、異なる値であってもよい。もちろんのことながら、図３１（ｃ）の例では、外縁３１２０の幅３１２５と、外縁３１４０の幅３１２５は、同じとしているが、異なる値であってもよい。
【０１２２】
ステップＳ２９０８では、外縁検査モジュール２７１５は、その外縁に画像があるか否かを判断し、ある場合はステップＳ２９１０へ進み、それ以外の場合はステップＳ２９１２へ進む。図３１の例では、外縁３１１０、外縁３１２０、外縁３１３０、外縁３１４０に、印刷すべき画像があるか否かを判断すればよい。なお、外縁３１１０、外縁３１２０、外縁３１３０、外縁３１４０を、印刷される媒体における領域としてもよい。
ステップＳ２９１０では、選択モジュール２７２５は、その辺では縁なし印刷を設定する。
ステップＳ２９１２では、選択モジュール２７２５は、その辺では非縁なし印刷を設定する。
ステップＳ２９１４では、選択モジュール２７２５は、全ての辺を設定したか否かを判断し、設定した場合はステップＳ２９１６へ進み、それ以外の場合はステップＳ２９０８へ戻る。
【０１２３】
ステップＳ２９１６では、提示モジュール２７３０は、設定結果を提示する。例えば、図３２、又は、図３３のような提示を行う。
図３２は、第３の実施の形態による画面３２００の提示例を示す説明図である。全ての辺が非縁なし印刷である場合の提示例を示すものである。
画面３２００には、用紙サイズ指定欄３２１０、印刷の向き指定欄３２２０、部数指定欄３２３０、縁なし印刷指定欄３２４０を表示する。縁なし印刷指定欄３２４０では、全ての辺が非縁なし印刷である場合であるので、「縁なし印刷する」の選択が行われていない。
図３３は、第３の実施の形態による画面３２００の提示例を示す説明図である。縁なし印刷の辺と非縁なし印刷の辺が混在している場合の提示例を示すものである。
画面３２００には、用紙サイズ指定欄３２１０、印刷の向き指定欄３２２０、部数指定欄３２３０、縁なし印刷指定欄３３４０を表示する。縁なし印刷指定欄３３４０には、印刷データのサムネイル画像３３５０を表示する。そして、そのサムネイル画像３３５０は、縁なし／あり設定領域３３５２、縁なし／あり設定領域３３５４、縁なし／あり設定領域３３５６、縁なし／あり設定領域３３５８を有している。ここでは、縁なし／あり設定領域３３５２（上辺）は「縁なし」に設定され、縁なし／あり設定領域３３５４（右辺）は「縁なし」に設定され、縁なし／あり設定領域３３５６（下辺）は「縁あり」に設定され、縁なし／あり設定領域３３５８（左辺）は「縁あり」に設定されている。
【０１２４】
ステップＳ２９１８では、提示モジュール２７３０は、操作者の操作にしたがって、設定を変更する。図３２の例では、縁なし印刷指定欄３２４０で、ユーザーの操作によって、「縁なし印刷する」の選択を受け付けることができる。つまり、「縁あり印刷」が適切であると判断された後でも、「縁あり印刷」から「縁なし印刷」への変更が、ユーザーの操作によって行える。図３３の例では、ユーザーの操作によって、各辺について、「縁なし印刷」、「縁あり印刷」の選択変更を受け付けることができる。つまり、各辺について、「縁なし印刷」又は「縁あり印刷」が適切であると判断された後でも、各辺について、「縁あり印刷」から「縁なし印刷」、「縁なし印刷」から「縁あり印刷」への変更が、ユーザーの操作によって行える。
【０１２５】
ステップＳ２９２０では、印刷指示モジュール２７３５は、１枚の媒体において、縁なし印刷の設定と非縁なし印刷の設定が混在するか否かを判断し、混在する場合はステップＳ２９２２へ進み、それ以外の場合はステップＳ２９２６へ進む。
ステップＳ２９２２では、印刷指示モジュール２７３５は、非縁なし印刷の設定がされた辺が先頭であるか否かを判断し、先頭の場合はステップＳ２９２６へ進み、それ以外の場合はステップＳ２９２４へ進む。ここでの先頭とは、印刷される媒体において、先に画像が形成される辺をいう。
ステップＳ２９２４では、印刷指示モジュール２７３５は、非縁なし印刷の設定がされた辺が先頭になるように印刷データを回転させる。縁なし印刷が先頭となる場合は、画像の汚れ（例えば、媒体の縁をはみ出たトナーによって生じる汚れ）が媒体全体に広がってしまう可能性があるので、縁あり印刷である辺が先になるように回転を行っている。
【０１２６】
ステップＳ２９２６では、印刷属性設定モジュール２７１０は、その他の属性を設定する。図３２の例で示した用紙サイズ指定欄３２１０、印刷の向き指定欄３２２０、部数指定欄３２３０等に対する設定が該当する。
ステップＳ２９２８では、印刷指示モジュール２７３５は、画像形成装置１０００に印刷指示を行う。例えば、印刷指示テーブル３４００を生成して、印刷ジョブとして画像形成装置１０００に渡す。図３４は、印刷指示テーブル３４００のデータ構造例を示す説明図である。印刷指示テーブル３４００は、印刷指示欄３４１０、印刷データ欄３４２０、用紙サイズ欄３４３０、印刷の向き欄３４４０、部数欄３４５０、縁なし印刷欄３４６０等を有しており、縁なし印刷欄３４６０は、上辺欄３４６２、右辺欄３４６４、下辺欄３４６６、左辺欄３４６８を有している。
印刷指示欄３４１０は、印刷指示を記憶している。印刷データ欄３４２０は、印刷対象である印刷データを記憶している。用紙サイズ欄３４３０は、印刷する用紙のサイズを記憶している。印刷の向き欄３４４０は、印刷の向きを記憶している。部数欄３４５０は、印刷する部数を記憶している。縁なし印刷欄３４６０は、縁なし印刷であるか否かの情報を記憶している。上辺欄３４６２は、上辺が縁なし印刷であるか否かの情報を記憶している。右辺欄３４６４は、右辺が縁なし印刷であるか否かの情報を記憶している。下辺欄３４６６は、下辺が縁なし印刷であるか否かの情報を記憶している。左辺欄３４６８は、左辺が縁なし印刷であるか否かの情報を記憶している。もちろんのことながら、辺毎でなく、用紙全体に対しての縁なし印刷であるか否かの情報（１辺でも縁なし印刷の設定がある場合は、縁なし印刷であるとの情報）を記憶するようにしてもよい。
【０１２７】
図３５は、第３の実施の形態による処理例を示す説明図である。
ＰＣやスマートフォン等であるユーザー端末２８９０の画面３５００で表示している画面の一部を切り取って印刷を指示する場合、縁部まで画像があることが多い。図３５の例では、印刷指示領域３５１０が指定された場合、その印刷指示領域３５１０の縁にはそれぞれ画像があり、縁なし印刷に設定すべきである。つまり、縁なし印刷設定を優先的に設定して、印刷設定画面を出すことで、印刷指示を出すまでの操作を減らすことができる。もちろんのことながら、印刷指示領域３５１０の指定がなく、画面３５００に表示されている画像全体を印刷対象としてもよい。
特に、印刷データがスクリーンショットによって生成された場合、このようなケース（縁部まで画像があること）が多いので、縁なし印刷設定をデフォルトにしてもよい。具体的には、図２９、図３０の例に示したフローチャートにおけるステップＳ２９０６からステップＳ２９１４までの処理の代わりに、印刷データがスクリーンショットによって生成されたか否かを判断し、スクリーンショットによって生成された場合は、縁なし印刷の設定を選択し、スクリーンショットによって生成されていない場合は、非縁なし印刷の設定を選択するようにしてもよい。
【０１２８】
図３６は、第３の実施の形態による処理例を示す説明図である。画像形成装置１０００が、辺毎に「縁なし印刷」、「非縁なし印刷」ができる場合は、辺毎に「縁なし印刷の設定」、「非縁なし印刷の設定」ができるようにしてもよい。
図３６の例では、画面３５００に表示された画像３６３０に対して、印刷指示領域３６１０が指定された場合、その印刷指示領域３６１０の３辺（上辺、右辺、左辺）にはそれぞれ画像があるが、下辺には空白領域３６２０があり、下辺（後端）のみ縁あり印刷で、それ以外を縁なし印刷の設定として、印刷指示を出すようにする。
【０１２９】
図３７は、第３の実施の形態による処理例を示す説明図である。図３６の例では、下辺（後端）のみ縁あり印刷で、それ以外を縁なし印刷の設定としたが、前述したように、上辺（前端）を縁なし印刷とすると、縁からはみ出したトナーによって媒体全体（特に前端部）に、汚れが発生しやすくなる。そこで、縁なし印刷と縁あり印刷の辺が混在する場合は、縁あり印刷の辺が前端になるように、印刷データを回転させる。
図３７の例に示す印刷データ３７００は、図３６の例に示した印刷指示領域３６１０内の画像３６３０を１８０度回転させたものである。したがって、印刷データ３７００の上部に空白領域３６２０がある。これによって、上端では縁あり印刷となるため、上端の縁からはみ出したトナーは少なくとも縁なし印刷よりは少なくなり、汚れの発生を防ぐことができる。
【０１３０】
図３８は、第３の実施の形態による処理例を示す説明図である。全辺に画像がない場合、縁あり印刷に設定する。図３８の例では、画面３５００に表示された画像３８３０に対して、印刷指示領域３８１０が指定された場合、その印刷指示領域３８１０の全辺にはそれぞれ画像がないので（空白領域３８２０に囲まれているので）、縁あり印刷の設定として、印刷指示を出すようにする。
【０１３１】
第３の実施の形態である画像形成装置１０００は、印刷機能を有しており、一般的に、プリンタ、複写機、複合機（プリンタ、複写機のいずれか１つ以上の機能を有しており、スキャナ、ファックス等の複数の機能を有している画像処理装置）等が該当する。
画像形成装置１０００は、図３９の例に示すように、画像形成処理モジュール１０１０、縁なし制御モジュール１０２０を有している。そして、画像形成装置１０００は、縁なし印刷用の定着装置又は転写装置を取り替え可能である。なお、縁なし印刷用の定着装置だけが取り替え可能であってもよいし、縁なし印刷用の転写装置だけが取り替え可能であってもよいし、縁なし印刷用の定着装置と縁なし印刷用の転写装置の両方が取り替え可能であってもよい。縁なし印刷用の定着装置を取り替える（セット、装着）とは、縁なし印刷用ではない定着装置（一般の定着装置であって、縁あり印刷用の定着装置）を縁なし印刷用の定着装置に交換すること、その逆が該当する。そして、縁なし印刷用の転写装置を取り替えるとは、縁なし印刷用ではない転写装置（一般の転写装置であって、縁あり印刷用の転写装置）を縁なし印刷用の転写装置に交換すること、その逆が該当する。
画像形成装置１０００は、縁なし印刷が可能である。画像形成装置１０００に、縁なし印刷用の定着装置と転写装置が取り付けられている場合は、縁なし印刷を高画質で行うことができる。画像形成装置１０００に、縁なし印刷用の定着装置又は縁なし印刷用の転写装置のいずれか１つ以上が取り付けられていない場合であっても、縁なし印刷そのものは可能である。ただし、両者が取り付けられている場合に比較して、画質が低下し、又は、画像形成装置１０００の故障等の原因となり得る。また、画像形成装置１０００に、縁なし印刷用の定着装置、縁なし印刷用の転写装置が取り付けられているか否かについては、外部からはわかりにくい。なお、縁なし印刷用の定着装置又は縁なし印刷用の転写装置が一般の定着装置又は転写装置と異なる点の一例としては、クリーニング機構にある。
画像形成装置１０００は、縁なし印刷機能を利用するとの指定があった場合は、定着装置又は転写装置が縁なし印刷用であるか否かの判断をし、縁なし印刷用でない場合は、警告を行う。もちろんのことながら、ユーザーの操作によっては、警告があったにもかかわらず、縁なし印刷が行われる場合がある。
【０１３２】
画像形成処理モジュール１０１０は、制御モジュール１２を有しており、縁なし制御モジュール１０２０の縁なし印刷制御モジュール１０２５、縁なし印刷用定着装置検知モジュール１０３０、縁なし印刷用転写装置検知モジュール１０３５と接続されている。画像形成処理モジュール１０１０は、画像形成装置１０００における画像形成処理を行う。具体的には、ユーザーの操作、ユーザー端末２８９０等からの印刷指示にしたがって、印刷処理を行う。なお、その印刷指示に、縁なし印刷の指定が含まれている場合は、縁なし制御モジュール１０２０に処理を行わせる。なお、縁なし印刷は、印刷される媒体の辺毎に設定可能である。したがって、縁なし印刷の設定と非縁なし印刷の設定が混在していてもよい。その場合は、縁なし印刷用の定着装置又は縁なし印刷用の転写装置を用いればよい。
制御モジュール１２は、画像形成処理モジュール１０１０の制御を行って、画像形成処理を行わせる。
なお、画像形成処理モジュール１０１０、制御モジュール１２の詳細な処理（特に、縁なし印刷処理）については、図４１〜４３の例を用いて後述する。
【０１３３】
縁なし制御モジュール１０２０は、縁なし印刷制御モジュール１０２５、縁なし印刷用定着装置検知モジュール１０３０、縁なし印刷用転写装置検知モジュール１０３５、警告モジュール１０４０、縁なし画像形成処理モジュール１０４５、印刷制限処理モジュール１０５０、縁なし印刷用ソフトウェア確認モジュール１０５５、縁なし印刷用ソフトウェア導入モジュール１０６０、通信モジュール１０６５を有している。縁なし制御モジュール１０２０は、印刷指示に、縁なし印刷の指定が含まれている場合の処理を行う。
縁なし印刷制御モジュール１０２５は、画像形成処理モジュール１０１０、警告モジュール１０４０、縁なし画像形成処理モジュール１０４５、印刷制限処理モジュール１０５０、縁なし印刷用ソフトウェア確認モジュール１０５５と接続されている。縁なし印刷制御モジュール１０２５は、画像形成処理モジュール１０１０からの指示にしたがって、縁なし制御モジュール１０２０内のモジュールの制御を行う。
縁なし印刷用定着装置検知モジュール１０３０は、画像形成処理モジュール１０１０、警告モジュール１０４０と接続されている。縁なし印刷用定着装置検知モジュール１０３０は、画像形成処理モジュール１０１０内に縁なし印刷用定着装置があるか否かを検知する。また、縁なし印刷用定着装置として、定着装置に取り付けられているクリーナーユニットを検知するようにしてもよい。
縁なし印刷用転写装置検知モジュール１０３５は、画像形成処理モジュール１０１０、警告モジュール１０４０と接続されている。縁なし印刷用転写装置検知モジュール１０３５は、画像形成処理モジュール１０１０内に縁なし印刷用転写装置があるか否かを検知する。また、縁なし印刷用転写装置として、転写装置に取り付けられているクリーナーユニットを検知するようにしてもよい。
縁なし印刷用定着装置検知モジュール１０３０、縁なし印刷用転写装置検知モジュール１０３５は、例えば、縁なし印刷用定着装置、縁なし印刷用転写装置がセットされていることを示す情報（フラグ、属性情報）が予め定められた記憶領域に記憶されているか否かによって判断してもよい。この記憶領域は、定着装置、転写装置が有している記憶部内であってもよいし、画像形成装置１０００内の記憶部内であってもよい。また、センサーによって縁なし印刷用定着装置、縁なし印刷用転写装置がセットされているか否かを検出するようにしてもよい。センサーとして、例えば、光学的センサー、磁気的センサー、機械的スイッチ等があり、縁なし印刷用定着装置、縁なし印刷用転写装置がセットされている場合はＯＮ（又はＯＦＦ）となり、これを受け取って判断すればよい。特に、前述の記憶領域を有していない場合は、センサーによって検出するようにしてもよい。
【０１３４】
警告モジュール１０４０は、縁なし印刷制御モジュール１０２５、縁なし印刷用定着装置検知モジュール１０３０、縁なし印刷用転写装置検知モジュール１０３５と接続されている。警告モジュール１０４０は、縁なし印刷機能を利用する場合、定着装置又は転写装置が縁なし印刷用でないときには、警告を行う。「縁なし印刷機能を利用する場合」とは、例えば、前述したように、ユーザーの操作、ユーザー端末２８９０等から、縁なし印刷の指定が含まれている印刷指示を受け取った場合が該当する。「定着装置又は転写装置が縁なし印刷用でないとき」とは、例えば、縁なし印刷用定着装置検知モジュール１０３０が、縁なし印刷用定着装置がセットされていると検知していない場合、又は、縁なし印刷用転写装置検知モジュール１０３５が、縁なし印刷用転写装置がセットされていると検知していない場合が該当する。「定着装置又は転写装置が縁なし印刷用でないとき」の組み合わせとして、「定着装置が縁なし印刷用でないとき」、「転写装置が縁なし印刷用でないとき」、「定着装置と転写装置の両方が縁なし印刷用でないとき」がある。なお、画像形成装置１０００そのものが、縁なし印刷用定着装置だけで（縁なし印刷用転写装置ではなく、一般用の転写装置）、高画質の縁なし印刷ができる場合は、「定着装置が縁なし印刷用でないとき」だけでよい。縁なし印刷用転写装置だけで（縁なし印刷用定着装置ではなく、一般用の定着装置）、高画質の縁なし印刷ができる場合は、「転写装置が縁なし印刷用でないとき」だけでよい。又は、画像形成装置１０００が、縁なし印刷用定着装置だけが取り替え可能である場合（転写装置は取り替えできない場合）、「定着装置が縁なし印刷用でないとき」だけでよい。画像形成装置１０００が、縁なし印刷用転写装置だけが取り替え可能である場合（定着装置は取り替えできない場合）、「転写装置が縁なし印刷用でないとき」だけでよい。
なお、警告には、液晶ディスプレイ等の表示装置への警告内容の表示の他に、３Ｄ（Ｄｉｍｅｎｓｉｏｎｓ）映像としての出力を含めてもよく、さらに、スピーカー等の音声出力装置への警告音（警告音声を含む）の出力、振動等、これらの組み合わせを用いてもよい。
【０１３５】
縁なし画像形成処理モジュール１０４５は、縁なし印刷制御モジュール１０２５と接続されている。縁なし画像形成処理モジュール１０４５は、縁なし印刷用の定着装置又は転写装置が取り付けられておらず、縁なし印刷機能の指定を受け付けた場合、縁なし印刷用の定着装置及び転写装置が取り付けられている場合とは異なる画像形成処理を行う。「縁なし印刷用の定着装置又は転写装置が取り付けられておらず」の判断は、前述したように、縁なし印刷用定着装置検知モジュール１０３０、縁なし印刷用転写装置検知モジュール１０３５による検知結果を用いればよい。「縁なし印刷機能の指定を受け付けた場合」とは、例えば、前述したように、ユーザーの操作、ユーザー端末２８９０等から、縁なし印刷の指定が含まれている印刷指示を受け取った場合が該当する。
「異なる画像形成処理」として、縁である周辺部の画像の濃度を下げることとしてもよい。周辺部とは、用紙の４辺部分（縁から予め定められた幅の部分）であり、一般の印刷（縁あり印刷）では印刷が行われない部分である。この周辺部に印刷される画像の濃度を下げることによって、クリーニングが必要となるトナー量を少なくするものである。例えば、濃度を本来の８０％等にする。また、周辺部の濃度を一様に下げるのではなく、縁に向かって濃度を下げる量を多くしてもよい。さらに４辺部分全ての濃度を下げるのではなく、用紙の搬送方向先端部の縁部だけや、用紙のサイド縁部といった４辺部分を選択的に濃度を下げるようにしてもよい。また、４辺部分の画像が、予め定められた濃度未満又は以下である場合は、濃度を下げる処理を行わないようにしてもよい。
【０１３６】
また、「異なる画像形成処理」として、転写装置又は定着装置のクリーニング頻度を、縁なし印刷用の定着装置及び転写装置を装着した場合と比べて多く実行することとしてもよい。例えば、縁なし印刷の場合は、それぞれのクリーニング回数を増やすようにしてもよいし、また、クリーニング回数を増やすために、縁なし印刷後に画像形成せずに用紙だけを搬送する（用紙を転写装置、定着装置で処理させ、その用紙に汚れの元となる残トナーを吸着させる）ようにしてもよい。もちろん、画像形成せずの空回転ができない場合、用紙の地色に近い画像(白色用紙なら白色画像)を形成したり、透明なクリア画像を形成してクリーニング動作を行ってもよい。また、縁なし印刷した用紙のサイズよりも大きなサイズの用紙を用いるようにしてもよい。縁なし印刷は、用紙をはみ出した画像を印刷対象とすることになるからである。また、このクリーニング処理は、縁なし印刷の１枚毎に行ってもよいし、印刷ジョブ毎に行うようにしてもよい。
また、縁なし印刷が同じサイズで連続して行われる場合は、増加したクリーニング処理を行わないように制御してもよい。ただし、最後の印刷後に、増加したクリーニング処理を行う。また、次の縁なし印刷が前の縁なし印刷の用紙サイズよりも小さいサイズで行われる場合は、増加したクリーニング処理を行わないように制御してもよい。ただし、最後の印刷後に、増加したクリーニング処理を行う。逆に、次の縁なし印刷が前の縁なし印刷の用紙サイズよりも大きいサイズで行われる場合は、増加したクリーニング処理を行うように制御してもよい。
【０１３７】
印刷制限処理モジュール１０５０は、縁なし印刷制御モジュール１０２５と接続されている。印刷制限処理モジュール１０５０は、警告モジュール１０４０による警告が行われた場合、縁なし印刷機能の利用を制限する。この「縁なし印刷機能の利用制限」として、利用回数又はユーザーの制限としてもよい。利用回数の制限とは、予め定められた閾値より多く又は以上の「縁なし印刷機能の利用」が行われた場合は、これを許可しないように制御することである。利用回数の制限には、例えば、印刷枚数の制限、用紙サイズ毎の利用回数の制限、白黒／カラー毎の利用回数の制限等を含む。ユーザーの制限とは、予め定められたユーザーにのみ「縁なし印刷機能の利用」を許可するように制御することである。ユーザーの制限には、例えば、ユーザーＩＤ（ＩＤｅｎｔｉｆｉｃａｔｉｏｎ）による特定、ユーザーのロール（役割、具体的には、グループリーダー、デザイナー等）による特定等を含む。また、利用回数とユーザーとの組み合わせによる制限としてもよい。例えば、ユーザーＩＤ毎に、利用回数の制限を設けてもよい。
【０１３８】
縁なし印刷用ソフトウェア確認モジュール１０５５は、縁なし印刷制御モジュール１０２５、縁なし印刷用ソフトウェア導入モジュール１０６０と接続されている。縁なし印刷用ソフトウェア確認モジュール１０５５は、縁なし印刷用の定着装置及び転写装置が取り付けられた場合、縁なし印刷を利用可能なソフトウェア（プログラム）が導入されているか否かを確認する。前述したように、縁なし印刷用の定着装置及び転写装置が取り付けられたか否か（又は、取り付けられている状態であるか否か）は、縁なし印刷用定着装置検知モジュール１０３０、縁なし印刷用転写装置検知モジュール１０３５による検知結果を用いればよい。なお、縁なし印刷を利用可能なソフトウェアが導入されているか否かは、そのソフトウェアが導入されていることを示す情報（フラグ、属性情報）が予め定められた記憶領域に記憶されているか否かによって判断してもよいし、縁なし印刷を利用可能なソフトウェアＩＤをソフトウェア格納サーバー４０１０から取得し、そのソフトウェアＩＤが画像形成処理モジュール１０１０に導入されているか否かによって判断してもよい。
縁なし印刷用ソフトウェア導入モジュール１０６０は、縁なし印刷用ソフトウェア確認モジュール１０５５、通信モジュール１０６５と接続されている。縁なし印刷用ソフトウェア導入モジュール１０６０は、縁なし印刷用ソフトウェア確認モジュール１０５５による確認結果に応じて、縁なし印刷を利用可能なソフトウェアが導入されていない場合、通信回線を介してそのソフトウェアを導入する。具体的には、画像形成装置１０００の機種を検索キー（場合によっては、縁なし印刷用の定着装置及び転写装置の装置ＩＤ等も検索キーに含めて）として、ソフトウェア格納サーバー４０１０からソフトウェアを検索すればよい。
通信モジュール１０６５は、縁なし印刷用ソフトウェア導入モジュール１０６０と接続されている。通信モジュール１０６５は、ソフトウェア格納サーバー４０１０との通信を行う。具体的には、縁なし印刷用ソフトウェア導入モジュール１０６０の指示にしたがって、縁なし印刷を利用可能なソフトウェアの要求の送信と、そのソフトウェアの受信を行う。
【０１３９】
図４０は、第３の実施の形態を利用したシステム構成例を示す説明図である。
画像形成装置１０００Ａ、画像形成装置１０００Ｂ、ソフトウェア格納サーバー４０１０、ユーザー端末２８９０は、通信回線４０９０を介してそれぞれ接続されている。通信回線４０９０は、無線、有線、これらの組み合わせであってもよく、例えば、通信インフラとしてのインターネット、イントラネット等であってもよい。ユーザー端末２８９０は、通信機能を有するパーソナルコンピュータ（ノートＰＣ）、携帯端末等であって、ユーザーの操作に応じて、画像形成装置１０００に印刷指示を行う。また、ソフトウェア格納サーバー４０１０による機能は、クラウドサービスとして実現してもよい。
画像形成装置１０００は、ユーザー端末２８９０からの印刷指示を受け取って、縁なし印刷の指定が含まれている場合は、画像形成装置１０００内に縁なし印刷用の定着装置又は転写装置がセットされているか否かで処理を異ならせる。また、画像形成装置１０００は、縁なし印刷を利用可能なソフトウェアを、ソフトウェア格納サーバー４０１０からダウンロードする。
【０１４０】
図４１は、画像形成処理モジュール１０１０内の概略構成図である。また、図４２は、図４１に示す画像形成処理モジュール１０１０の二次転写が行われる位置付近の構成及び二次転写部材とクリーニング部材との間に印加されるバイアス電圧を制御する構成を示す図である。
静電電位の差による潜像に粉状のトナーを転移してトナー像を形成する画像形成装置では、潜像が形成される潜像保持部材の無端状となった周面上にトナーを付着させてトナー像が形成される。そして、形成されたトナー像が、該潜像保持部材から直接に記録媒体に転写されるか、又は潜像保持部材から一旦中間転写体に一次転写され、さらに記録媒体に二次転写される。記録媒体にトナー像を転写するための転写部材として、潜像保持部材又は中間転写体の周面と接触するように設けられ、無端状の周面が周回移動するものとなった転写ロール又は複数のロール状部材に張架された転写ベルト等が一般に用いられる。このような転写部材は、潜像保持部材又は中間転写体との対向位置である転写領域に送り込まれた記録媒体を挟み込み、記録媒体の背面に接触して記録媒体を通過させるものとなっている。そして、転写バイアス電圧の印加によって転写部材と潜像保持部材又は中間転写体との間に電界を形成し、この電界内でトナー像を記録媒体に転移させる。
【０１４１】
このような画像形成装置では、記録媒体の外周に余白を残してトナー像が転写される通常印刷が一般的であるが、記録媒体の全面にトナー像を転写するいわゆる縁なし印刷ができる装置が開発されている。縁なし印刷では、トナー像が記録媒体の寸法より大きな範囲に形成され、記録媒体の全面とその周囲にはみ出したトナー像が転写される。したがって、縁なし印刷が実行されると、転写領域において、記録媒体からはみ出したトナーが転写部材の周面上に転移される。
また、潜像保持部材には、トナー像を形成する領域外にもいわゆるかぶりトナーがわずかに付着する。そして、トナー像を潜像保持部材から直接に記録媒体に転写する装置では、転写位置で記録媒体と対向しない領域から上記かぶりトナーが転写部材の周面上に転移する。また、潜像保持部材から一旦中間転写体にトナー像を一次転写し、中間転写体から記録媒体に二次転写する装置では、一次転写位置でかぶりトナーが中間転写体に転写され、二次転写位置では記録媒体と対向しない領域からかぶりトナーが転写部材の周面上に転移する。
【０１４２】
このようにトナーが転写部材の周面に付着したままで周回すると、転写領域に送り込まれた記録媒体の背面側に付着し、記録媒体の背面を汚してしまうことになる。このため、転写部材の周面を清掃するためのクリーニング装置を設け、転写部材の周面に転移したトナーを除去する画像形成装置が、例えば特開２００８−８９６５７号公報に提案されている。
上記潜像保持部材又は中間転写体と転写部材とが対向する転写領域で、転写部材の周面に転移するトナーの量は、通常印刷が実行される場合と縁なし印刷が実行される場合とで大きく変動する。また、温度や湿度等によって変動することも考えられる。このように変動する転移トナー量に対して、転写部材の周面からトナーを充分に除去することができなければ、記録媒体の背面に汚れを生じることになる。
【０１４３】
画像形成処理モジュール１０１０は、トナー像が転写された記録媒体の背面に生じる汚れを抑制する。そのために、縁なし印刷用の定着装置と転写装置がセットされている場合について説明する。
画像形成装置１０００は、例えば、４色のトナーを用いてカラー画像を形成する画像形成装置であり、イエロー（Ｙ）、マゼンタ（Ｍ）、シアン（Ｃ）、ブラック（Ｋ）の各色の画像を出力する電子写真方式の画像形成ユニット１０Ｙ、１０Ｍ、１０Ｃ、１０Ｋと、これらと対向する中間転写ベルト２０とを備えている。中間転写ベルト２０は、像保持体として機能するものであり、上記画像形成ユニット１０のそれぞれと対向するように張架され、周面が周回駆動されるものである。この中間転写ベルト２０の周回移動方向における画像形成ユニット１０が対向する位置の下流側には、二次転写を行うための二次転写部材２４が中間転写ベルト２０と対向するように配置されている。この二次転写部材２４は、転写部材として機能するものであり、二次転写部材２４が中間転写ベルト２０と対向する二次転写位置３０にはシート収容部８から搬送路９を経て、シート状の記録媒体Ｐが送り込まれ、中間転写ベルト２０上のトナー像が記録媒体に転写される。記録媒体の搬送経路における二次転写位置３０の下流側には、トナー像が転写された記録媒体の搬送装置２５及びトナー像を加熱及び加圧して記録媒体上に定着する定着装置７が設けられている。さらに下流側にはトナー像が定着された記録媒体を重ねて保持する排紙保持部（図示しない）が設けられている。
【０１４４】
一方、中間転写ベルト２０の周回移動方向における二次転写位置３０の下流側には、二次転写後の中間転写ベルト２０上に残留したトナーを回収する中間転写ベルト用のクリーニング装置２９が設けられている。また、二次転写部材２４が有する無端状の周面と対向する位置には、二次転写位置３０で中間転写ベルト２０から二次転写部材２４に転移したトナーを回収するために、二次転写部材用の第１のクリーニング部材３１及び第２のクリーニング部材３２が配設されている。
【０１４５】
なお、画像形成装置１０００は、記録媒体の外周に余白を残してトナー像を形成する通常印刷モードＭ１と記録媒体の全面にトナー像を形成する縁なし印刷モードＭ２と、を含む複数の印刷モードを備えるものとなっており、これら印刷モードの切り換えは、外部装置から入力されるデータ又は操作者が操作パネル等から入力するデータに基づき制御モジュール１２によって行われるものとなっている。
【０１４６】
上記画像形成ユニット１０は、中間転写ベルト２０の周回移動方向における上流側から順に、イエローのトナー像を形成する画像形成ユニット１０Ｙ、マゼンタのトナー像を形成する画像形成ユニット１０Ｍ、シアンのトナー像を形成する画像形成ユニット１０Ｃ、ブラックのトナー像を形成する画像形成ユニット１０Ｋが配列されている。そして、それぞれの画像形成ユニット１０は、表面に静電潜像が形成される感光体ドラム１を有しており、各感光体ドラム１の周囲に、該感光体ドラム１の表面を帯電する帯電装置２と、感光体ドラム上に形成された潜像にトナーを選択的に転移させてトナー像を形成する現像装置４と、感光体ドラム１上のトナー像を中間転写ベルト２０上に一次転写する一次転写ロール５と、転写後の感光体ドラム上に残留したトナーを除去する感光体用のクリーニング装置６と、を備えている。また、感光体ドラム１のそれぞれについて、画像信号に基づいて像光を発生する露光装置３が設けられ、現像装置４が対向する位置の上流側で感光体ドラム１に像光を照射して静電潜像を書き込むものとなっている。
【０１４７】
感光体ドラム１は、金属の円筒状部材の周面に有機感光体層を積層して形成したものであり、金属部分が電気的に接地されている。また、バイアス電圧が印加されるものであってもよい。
【０１４８】
上記帯電装置２は、被帯電体である感光体ドラム１の周面と間隔をあけて張架された電極ワイヤを備えるものであり、この電極ワイヤと感光体ドラム１との間に電圧を印加し、コロナ放電を生じさせて感光体ドラム１の表面を帯電するものである。
第３の実施の形態では、上記のようにコロナ放電によって帯電させる装置を用いたが、固体放電器やロール形状又はブレード形状などの接触あるいは非接触帯電装置を用いることもできる。
【０１４９】
上記露光装置３は、画像信号に基づいて点滅するレーザー光を発生し、これをポリゴンミラーによって回転する感光体ドラム１の主走査方向（軸線方向）に走査するものである。これによりそれぞれの感光体ドラム１の表面に各色の画像に相当する静電潜像が形成される。
【０１５０】
上記現像装置４は、トナーと磁性キャリアとを含む二成分現像剤を使用するものであり、感光体ドラム１と対向する位置に現像ロール４ａを備え、回転する現像ロール４ａの周面上に二成分現像剤の層が形成される。この現像ロール４ａの周面から感光体ドラム１上にトナーを転移して静電潜像を可視化する。また、画像形成にともない消費されたトナーは、消費量に応じて補充されるようになっている。
第３の実施の形態では、感光体ドラム１は帯電装置２によって負極性に帯電され、露光によって帯電電位が減衰した部分に負極性に帯電したトナーを転移するものとなっている。
【０１５１】
上記一次転写ロール５は、各画像形成ユニット１０Ｙ、１０Ｍ、１０Ｃ、１０Ｋについて感光体ドラム１Ｙ、１Ｍ、１Ｃ、１Ｋと対向する位置の中間転写ベルト２０の背面側に配置されている。そして、一次転写ロール５Ｙ、５Ｍ、５Ｃ、５Ｋと感光体ドラム１Ｙ、１Ｍ、１Ｃ、１Ｋとの間に一次転写用のバイアス電圧が印加され、これらが対向する一次転写位置で、通過する中間転写ベルト２０に感光体ドラム上のトナー像を静電的に転写するものである。
【０１５２】
上記感光体用のクリーニング装置６は、感光体ドラム１の周面に接触して配置されたクリーニングブレードにより、転写後の感光体ドラム１上に残留したトナーを除去するものである。
【０１５３】
上記中間転写ベルト２０は、複数の層を重ね合わせたフィルム状の部材を無端状に形成したものである。この中間転写ベルト２０は、像保持体として機能するものであり、回転駆動される駆動ロール２１と、中間転写ベルト２０の幅方向への偏りを調整する調整ロール２２と、二次転写部材２４と対向する位置に支持された対向ロール２３とに張架されて、図４１中に示す矢印Ａの方向に周回移動するものとなっている。
【０１５４】
上記対向ロール２３と中間転写ベルト２０を挟んで対向する位置に配置された二次転写部材２４は、二次転写ロール２６と、補助ロール２７と、これらに張架された二次転写ベルト２８とを有するものである。二次転写ベルト２８は中間転写ベルト２０と重ね合わされた状態で対向ロール２３と二次転写ロール２６との間に挟み込まれ、中間転写ベルト２０が周回駆動されるのにともなって周回移動するものとなっている。また、中間転写ベルト２０と二次転写ベルト２８との間に記録媒体が送り込まれたときには、この記録媒体を挟み込んで搬送するものとなっている。
【０１５５】
上記二次転写ロール２６は、金属の芯材２６ａの外周面上に、導電性粒子が添加されたゴム材の外周層２６ｂを形成したものである。また、上記対向ロール２３は、金属の芯材２３ａの外周面上に外周層２３ｂを形成したものであり、外周層２３ｂは単層又は複数の層から構成されるもののいずれでもよい。
上記二次転写ロール２６と対向ロール２３との間には、図４２に示すように、転写バイアス用の電源装置１１から二次転写用のバイアス電圧が印加され、二次転写位置３０に転写用の電界が形成される。
【０１５６】
上記定着装置７は、上記二次転写位置３０でトナー像が転写された記録媒体を加熱及び加圧してトナー像を記録媒体に定着するものであり、加熱源を内蔵した加熱ロール７ａと、この加熱ロール７ａに圧接される加圧ロール７ｂとを備えている。これらの接触部にトナー像が転写された記録媒体が送り込まれ、回転駆動される加熱ロール７ａと加圧ロール７ｂとの間で加熱及び加圧され、トナー像が記録媒体上に定着されるものとなっている。そして、加熱ロール７ａと加熱ロール７ｂに転移したトナーを回収するために、加熱ロール７ａにはクリーニング部材４１ａが配設され、加熱ロール７ｂにはクリーニング部材４１ｂが配設されている。なお、転写装置におけるクリーニングをクリーニング部材４１ａ、４１ｂが行う。また、クリーニング部材４１ａ、４１ｂは、ロール、ブレードであってもよい。
【０１５７】
上記中間転写ベルト用のクリーニング装置２９は、二次転写位置３０で記録媒体に転写した後に残留するトナーを中間転写ベルト２０の周面から除去するものとなっており、中間転写ベルト２０の周面に接触するクリーニングブレードを備えている。このクリーニングブレードにより、中間転写ベルト２０の周面上に付着しているトナーを掻き落とすように除去するものである。
【０１５８】
上記第１のクリーニング部材３１及び第２のクリーニング部材３２は、二次転写ベルト２８の周面と接触するように配置されている。それぞれのクリーニング部材３１、３２は、金属からなる回転軸の周囲に放射状にブラシ毛を取り付けたものであり、ブラシ毛は導電性を付与するための粒子を混入した樹脂材料によって形成されている。そして、回転軸からブラシ毛に電圧を印加し、ブラシ毛と二次転写ロール２６との間に電界を形成するものとなっている。つまり、二次転写ベルト２８の周回移動方向における上流側で接触する第１のクリーニング部材３１と電気的に接地された二次転写ロール２６との間には、第１のクリーニング用バイアス電源３３からクリーニング用のバイアス電圧が印加され、第１のクリーニング部材３１に正極性側の電位を付与するものとなっている。また、下流側で接触する第２のクリーニング部材３２と二次転写ロール２６との間には第２のクリーニング用バイアス電源３５から第２のクリーニング部材３２の電位が負極性側となるようにクリーニング用のバイアス電圧が印加される。したがって、正極性側となるようにバイアス電圧が印加された第１のクリーニング部材３１によって、主に負極性に帯電したトナーを二次転写ベルト２８の周面から除去し、負極性の電圧が印加された第２のクリーニング部材３２によって、主に正極性に帯電したトナーを除去するものとなる。
なお、図４２中に示す符号３６、３７は、第１のクリーニング部材３１及び第２のクリーニング部材３２のブラシ毛に接触して、二次転写ベルト２８の周面から吸着したトナーを払い落とすための払い落とし部材を示すものである。
【０１５９】
上記第１のクリーニング部材３１は、クリーニング部材として機能するものであり、この第１のクリーニング部材３１にクリーニング用のバイアス電圧を印加する第１のクリーニング用バイアス電源３３がクリーニングバイアス印加手段として機能するものとなっている。そして、第１のクリーニング用バイアス電源３３から第１のクリーニング部材に印加する電圧が制御モジュール１２によって制御される。
【０１６０】
上記制御モジュール１２は、画像形成装置１０００が有する複数の印刷モードの中から選択された印刷モードに切り換えるためのモード切り換えモジュール１３を備える他に、上記第１のクリーニング部材３１に印加するクリーニング用のバイアス電圧を制御するクリーニングバイアス制御モジュール１４を備えている。そして、この制御モジュール１２には画像形成装置１０００が記録媒体上に画像を形成する動作を制御する機能を備えるものとなっている。
【０１６１】
上記モード切り換えモジュール１３は、印刷モード切り換え手段として機能するものであり、外部装置から入力される情報又は操作者が操作パネル等を用いて入力する情報に基づいて、通常印刷モードＭ１又は縁なし印刷モードＭ２等の複数の印刷モードから１つの印刷モードを選択し、各モードにしたがって画像が形成されるように制御を切り換えるものとなっている。
【０１６２】
上記クリーニングバイアス制御モジュール１４は、バイアス電圧制御手段として機能するものであり、上記モード切り換えモジュール１３において切り換えられた印刷モードに基づいて、第１のクリーニング用バイアス電源３３から第１のクリーニング部材３１に印加される電圧値を制御する。つまり、通常印刷モードＭ１に切り換えられたときには第１のバイアス電圧値Ｖ１が、縁なし印刷モードＭ２に切り換えられたときには第２のバイアス電圧値Ｖ２が印加されるように第１のクリーニング用バイアス電源３３の電圧調整部３４を動作させるものとなっている。
【０１６３】
上記第１のバイアス電圧値Ｖ１及び第２のバイアス電圧値Ｖ２は、予め設定されて記憶モジュール１５に記憶されており、縁なし印刷モードＭ２が実行されるときに印加される第２のバイアス電圧値Ｖ２は、通常印刷モードＭ１が実行されるときに印加される第１のバイアス電圧値Ｖ１より、二次転写ロール２６と第１のクリーニング部材３１との間の電位差を大きくするように設定されている。
第３の実施の形態では、第１のバイアス電圧値Ｖ１及び第２のバイアス電圧値Ｖ２は予め設定された一定値となっているが、実行される印刷モードに加えて温度又は湿度等の環境条件及びその他の条件等に基づいてバイアス電圧値を制御するものであってもよい。ただし、環境条件等が同じであるときには縁なし印刷モードＭ２時の第２のバイアス電圧値Ｖ２は、通常印刷モードＭ１時の第１のバイアス電圧値Ｖ１よりも電位差が大きくなるように制御される。
【０１６４】
画像形成装置１０００は、次のように動作する。
４つの感光体ドラム１上にそれぞれ静電潜像が形成され、現像装置４からトナーが転移されてトナー像が形成される。これらのトナー像は一次転写ロール５との対向位置で中間転写ベルト２０上に転写され、中間転写ベルト２０上で重ね合わされてカラーのトナー像が形成される。このトナー像は中間転写ベルト２０の周回移動によって二次転写位置３０に搬送され、中間転写ベルト２０から記録媒体Ｐに転写される。
このような画像形成動作が通常印刷モードＭ１で実行される場合は、トナー像は記録媒体の寸法より小さい領域に形成され、二次転写位置３０において記録媒体の外周部に余白を残すように転写される。中間転写ベルト２０上のトナー像が保持される範囲外の部分、例えば画像が保持される領域と次の画像が保持される領域と間の非画像領域には、わずかのいわゆるかぶりトナーが付着していることが多く、二次転写位置３０で記録媒体と対向しない領域に付着しているトナーは、二次転写位置３０で二次転写ベルト２８上に転移する。二次転写ベルト２８は周回移動して、第１のバイアス電圧値Ｖ１が印加された第１のクリーニング部材３１との対向位置及び第２のクリーニング部材３２との対向位置を通過し、一部はこれらのクリーニング部材３１、３２によって除去される。また、一部はクリーニング部材３１、３２によって除去されず、二次転写ベルト２８上に残留するが、非画像領域に付着しているトナー量は少なく、直ちに記録媒体の背面に汚れが生じることはない。
【０１６５】
一方、縁なし印刷モードＭ２で画像形成が行われる場合には、トナー像が記録媒体の寸法より大きい範囲に形成され、二次転写位置３０で記録媒体に転写されるときに、記録媒体の外周縁から外側にはみ出し、はみ出したトナーが二次転写ベルト２８に転移される。このときに二次転写ベルト２８に付着するトナー量は通常印刷モード時のかぶりトナーよりも著しく多くなっている。また、非画像領域からは、通常印刷モードＭ１の実行時と同様にかぶりトナーが二次転写ベルト２８に付着する。そして、二次転写ベルト２８は周回移動して、第１のクリーニング部材３１及び第２のクリーニング部材３２との対向位置を通過し、一部はこれらのクリーニング部材３１、３２によって除去される。このとき、第１のクリーニング部材３１には、二次転写ロール２６との間の電位差が第１のバイアス電圧値Ｖ１の印加時より大きくなる第２のバイアス電圧値Ｖ２が印加され、第１のクリーニング部材３１が正極性側となっているので、二次転写ベルト２８上に付着した負帯電の多量のトナーは、主に第１のクリーニング部材３１によって除去される。なお、定着装置におけるクリーニングをクリーニング部材３１、３２が行う。また、クリーニング部材３１、３２は、ブラシ、ロール、ブレードであってもよい。
【０１６６】
縁なし印刷モードＭ２が実行される場合において、二次転写位置３０を通過する記録媒体の外周縁からはみ出して二次転写ベルト２８に付着したトナーは、１回のクリーニング動作により除去されなければ記録媒体の背面に付着してトナー汚れを生じさせる虞がある。
図４３は、縁なし印刷において、記録媒体からはみ出して形成されたトナー像により記録媒体の背面に汚れが生じる状態を説明する図である。
図４３（ａ）に示すように、縁なし印刷モードＭ２が実行されると、記録媒体Ｐを挟み込んでトナー像を転写する二次転写位置３０では、中間転写ベルト２０上に保持されたトナー像Ｔ１が記録媒体Ｐの寸法より大きく、先端側で記録媒体Ｐの先端縁より前方側にはみ出す。この部分が二次転写位置３０を通過するときに、図４３（ｂ）に示すように、二次転写ベルト２８上に転写される。そして、二次転写ベルト２８の周回駆動にともなって第１のクリーニング部材３１及び第２のクリーニング部材３２との対向位置を通過するが、これらのクリーニング部材３１、３２により除去しきれないトナーが残留した場合、この残留したトナーＴ２は再度二次転写位置３０に到達する。二次転写ベルト２８の周長が記録媒体Ｐの搬送方向の長さよりも短く形成されていると、図４３（ｃ）に示すように、残留したトナーＴ２が二次転写位置３０に達したときにはまだ記録媒体Ｐの搬送方向における後方部が二次転写位置３０にあり、記録媒体Ｐの背面に残留トナーＴ２が付着してしまう。
【０１６７】
したがって、縁なし印刷モードＭ２の場合において、記録媒体Ｐの先端からはみ出して二次転写ベルト２８に付着したトナーＴ２は、第１のクリーニング部材３１及び第２のクリーニング部材３２との対向位置を一回通過するだけで、記録媒体Ｐの背面のトナー汚れを許容できる程度に除去する必要がある。
【０１６８】
図４４は、第３の実施の形態（特に、縁なし制御モジュール１０２０）による処理例を示すフローチャートである。
ステップＳ４４０２では、縁なし印刷制御モジュール１０２５は、縁なし印刷の指定があるか否かを判断し、縁なし印刷指定の場合はステップＳ４４０４へ進み、それ以外の場合はステップＳ４４１４へ進む。
ステップＳ４４０４では、縁なし印刷用定着装置検知モジュール１０３０は、縁なし印刷用定着装置が取り付けられていることを検知する。
ステップＳ４４０６では、縁なし印刷用転写装置検知モジュール１０３５は、縁なし印刷用転写装置が取り付けられていることを検知する。
【０１６９】
ステップＳ４４０８では、警告モジュール１０４０は、縁なし印刷用定着装置と縁なし印刷用転写装置の両方が取り付けられているか否かを判断し、両方が取り付けられている場合はステップＳ４４１６へ進み、それ以外の場合はステップＳ４４１０へ進む。
ステップＳ４４１０では、警告モジュール１０４０は、警告処理を行う。
ステップＳ４４１２では、縁なし印刷制限処理を行う。ステップＳ４４１２の詳細な処理については、図４６の例に示すフローチャートを用いて後述する。
ステップＳ４４１４では、画像形成処理モジュール１０１０は、通常処理を行う。例えば、縁あり印刷処理を行う。
ステップＳ４４１６では、画像形成処理モジュール１０１０は、前述した縁なし印刷通常処理を行う。
【０１７０】
図４５は、第３の実施の形態による処理例を示す説明図である。特に、図４４の例で示したフローチャート内のステップＳ４４１０の処理例を示す。
図４５（ａ）の例では、画面４５００に「現在、取り付けられている転写装置は、縁なし印刷用のものではありません。取り替えてください。」と表示し、はいボタン４５１０、いいえボタン４５２０を選択可能に表示する。そして、ユーザーによって、はいボタン４５１０が選択された場合は、処理Ａ４５７２を行い、いいえボタン４５２０が選択された場合は、図４５（ｂ）の例に示す表示を行う。
処理Ａ４５７２として、「取り替えて問題がなければ、エラー表示されない。あるいは、利用可になった旨を表示して、縁なし印刷の機能を利用可にする。」の処理を行う。図４４の例で示したフローチャートで示すと、ステップＳ４４０８で「Ｙ」となる判断の後、ステップＳ４４１６の処理を行う。
【０１７１】
図４５（ｂ）の例では、画面４５００に「故障や画質の低下の危険性がありますが、そのまま機能を利用しますか？」と表示し、はいボタン４５３０、いいえボタン４５４０を選択可能に表示する。そして、ユーザーによって、はいボタン４５３０が選択された場合は処理Ｂ４５７４を行い、いいえボタン４５４０が選択された場合は処理Ｃ４５７６を行う。
処理Ｂ４５７４として、「縁なし印刷の機能を限定的に解除する。限定的として、例えば、今回のジョブ、又は、そのユーザーのみに縁なし印刷を許可することがある。そして、今回のジョブ又はそのユーザーの操作による印刷処理が終われば、また、利用不可の状態にする。」の処理を行う。図４４の例で示したフローチャートで示すと、ステップＳ４４１２の処理を行う。
処理Ｃ４５７６として、「ホーム画面に戻る。又は、再度、警告画面を表示する。」の処理を行う。
なお、縁なし印刷用の定着装置、縁なし印刷用の転写装置のいずれか一方がセットされている場合（他方はセットされていない場合）は、限定的に解除（縁なし印刷を許可）し、両方がセットされていない場合は、縁なし印刷を禁止するようにしてもよい。
【０１７２】
図４６は、第３の実施の形態による処理例を示すフローチャートである。
ステップＳ４６０２では、縁なし印刷の枚数の累計を算出する。前述したように、ユーザー毎、用紙サイズ毎等に枚数の累計を算出してもよい。例えば、縁なし印刷ログテーブル４７００を用いて、算出してもよい。図４７は、縁なし印刷ログテーブル４７００のデータ構造例を示す説明図である。縁なし印刷ログテーブル４７００は、日時欄４７１０、縁なし印刷枚数欄４７２０、用紙サイズ欄４７３０、白黒／カラー欄４７４０、ユーザー欄４７５０を有しており、縁なし印刷用の定着装置又は縁なし印刷用の転写装置がセットされていない状態での縁なし印刷の履歴（ログ）を記憶している。縁なし印刷枚数欄４７２０は、上辺欄４７２２、右辺欄４７２４、下辺欄４７２６、左辺欄４７２８を有している。日時欄４７１０は、縁なし印刷を行った日時を記憶している。縁なし印刷枚数欄４７２０は、その縁なし印刷の枚数を記憶している。上辺欄４７２２は、上辺の縁なし印刷の枚数を記憶している。右辺欄４７２４は、右辺の縁なし印刷の枚数を記憶している。下辺欄４７２６は、下辺の縁なし印刷の枚数を記憶している。左辺欄４７２８は、左辺の縁なし印刷の枚数を記憶している。もちろんのことながら、辺毎でなく、用紙全体に対しての縁なし印刷の枚数（１辺でも縁なし印刷を行った場合は、縁なし印刷であるとして計数した枚数）を記憶するようにしてもよい。用紙サイズ欄４７３０は、その縁なし印刷での用紙サイズを記憶している。白黒／カラー欄４７４０は、その縁なし印刷は白黒印刷であるか、カラー印刷であるかを示す情報を記憶している。ユーザー欄４７５０は、その縁なし印刷を行ったユーザー（ユーザーＩＤ）を記憶している。
【０１７３】
ステップＳ４６０４では、縁なし印刷指定の枚数を抽出する。なお、この処理は、辺毎に枚数を計数してもよい。
ステップＳ４６０６では、縁なし印刷の許可枚数を超えているか否かを判断し、超えている場合はステップＳ４６０８へ進み、それ以外の場合はステップＳ４６１０へ進む。その画像形成装置１０００で、予め設定されている枚数（縁なし印刷用の定着装置又は縁なし印刷用の転写装置がセットされていない状態での縁なし印刷できる枚数）を閾値とする。なお、この処理は、辺毎に判断してもよい。
【０１７４】
ステップＳ４６０８では、不許可処理を行う。例えば、縁なし印刷はできない旨の表示を行う。
ステップＳ４６１０では、ユーザー毎の縁なし印刷の許可枚数を超えているか否かを判断し、超えている場合はステップＳ４６０８へ進み、それ以外の場合はステップＳ４６１２へ進む。例えば、ユーザー別許可枚数テーブル４８００を用いて、許可枚数を決定してもよい。図４８は、ユーザー別許可枚数テーブル４８００のデータ構造例を示す説明図である。ユーザー別許可枚数テーブル４８００は、ユーザー欄４８１０、縁なし印刷許可枚数欄４８２０を有している。ユーザー欄４８１０は、ユーザーを記憶している。縁なし印刷許可枚数欄４８２０は、そのユーザーにおける縁なし印刷の許可枚数を記憶している。この例は、ユーザー毎に許可枚数を設定しているが、用紙サイズ毎等に応じて許可枚数を設定してもよい。
なお、辺毎に縁なし印刷の指定ができる場合は、縁なし印刷許可枚数欄４８２０は、縁なし印刷可能な辺数としてもよい。さらに、上辺、右辺、下辺、左辺毎に縁なし印刷の可能な辺数としてもよい。そして、ステップＳ４６１０の処理は、辺毎に判断してもよい。
ステップＳ４６１２では、縁なし印刷用画像形成処理を行う。ステップＳ４６１２の詳細な処理については、図４９の例に示すフローチャートを用いて後述する。
【０１７５】
図４９は、第３の実施の形態による処理例を示すフローチャートである。
ステップＳ４９０２では、縁なし印刷用画像の画像生成処理を行う。ステップＳ４９０２の詳細な処理については、図５０の例に示すフローチャートを用いて後述する。
ステップＳ４９０４では、縁なし印刷用印刷処理を行う。ステップＳ４９０４の詳細な処理については、図５１の例に示すフローチャートを用いて後述する。
【０１７６】
図５０は、第３の実施の形態による処理例を示すフローチャートである。
ステップＳ５００２では、周辺部分の特定処理を行う。例えば、予め定められた領域（縁から予め定められた幅の部分）を特定する。
ステップＳ５００４では、濃度変更処理を行う。例えば、周辺部の濃度を一様に下げるのではなく、縁に向かって濃度を下げる量を多くしてもよい。
【０１７７】
図５１は、第３の実施の形態による処理例を示すフローチャートである。
ステップＳ５１０２では、転写装置が取り付けられていないか否かを判断し、取り付けられていない場合はステップＳ５１０４へ進み、それ以外の場合はステップＳ５１０６へ進む。
ステップＳ５１０４では、転写装置のクリーニング回数を設定する。
ステップＳ５１０６では、定着装置が取り付けられていないか否かを判断し、取り付けられていない場合はステップＳ５１０８へ進み、それ以外の場合はステップＳ５１１０へ進む。
ステップＳ５１０８では、定着装置のクリーニング回数を設定する。
ステップＳ５１１０では、縁なし印刷の処理を行う。
【０１７８】
第１の実施の形態と第２の実施の形態を組み合わせてもよい。第１の実施の形態と第３の実施の形態を組み合わせてもよい。第２の実施の形態と第３の実施の形態を組み合わせてもよい。第１の実施の形態と第２の実施の形態と第３の実施の形態を組み合わせてもよい。例えば、情報処理装置９００の印刷指示の送信先として画像形成装置３００が含まれていてもよいし、画像形成指示装置２７００による印刷指示を画像形成装置３００が受け取るようにしてもよい。また、画像形成装置１０００に搬送・清掃モジュール１３０が含まれていてもよい。
【０１７９】
図５２を参照して、本実施の形態の画像形成装置３００、情報処理装置９００、画像形成装置１０００、画像形成指示装置２７００のハードウェア構成例について説明する。図５２に示す構成は、例えばパーソナルコンピュータ（ＰＣ）等によって構成されるものであり、スキャナ等のデータ読み取り部５２１７と、プリンタ等のデータ出力部５２１８を備えたハードウェア構成例を示している。
【０１８０】
ＣＰＵ（Ｃｅｎｔｒａｌ  Ｐｒｏｃｅｓｓｉｎｇ  Ｕｎｉｔ）５２０１は、前述の実施の形態において説明した各種のモジュール、すなわち、表示モジュール９０５、操作受付モジュール９１０、画像形成装置決定モジュール９２５、通信モジュール９３０、制御モジュール１２、縁なし印刷制御モジュール１０２５、縁なし印刷用定着装置検知モジュール１０３０、縁なし印刷用転写装置検知モジュール１０３５、警告モジュール１０４０、縁なし画像形成処理モジュール１０４５、印刷制限処理モジュール１０５０、縁なし印刷用ソフトウェア確認モジュール１０５５、縁なし印刷用ソフトウェア導入モジュール１０６０、通信モジュール１０６５、印刷データ受付モジュール２７０５、印刷属性設定モジュール２７１０、外縁検査モジュール２７１５、画像生成過程検知モジュール２７２０、選択モジュール２７２５、提示モジュール２７３０、印刷指示モジュール２７３５等の各モジュールの実行シーケンスを記述したコンピュータ・プログラムにしたがった処理を実行する制御部である。
【０１８１】
ＲＯＭ（Ｒｅａｄ  Ｏｎｌｙ  Ｍｅｍｏｒｙ）５２０２は、ＣＰＵ５２０１が使用するプログラムや演算パラメータ等を格納する。ＲＡＭ（Ｒａｎｄｏｍ  Ａｃｃｅｓｓ  Ｍｅｍｏｒｙ）５２０３は、ＣＰＵ５２０１の実行において使用するプログラムや、その実行において適宜変化するパラメータ等を格納する。これらはＣＰＵバス等から構成されるホストバス５２０４により相互に接続されている。
【０１８２】
ホストバス５２０４は、ブリッジ５２０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス５２０６に接続されている。
【０１８３】
キーボード５２０８、マウス等のポインティングデバイス５２０９は、操作者により操作されるデバイスである。ディスプレイ５２１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス５２０９とディスプレイ５２１０の両方の機能を備えているタッチスクリーン等であってもよい。その場合、キーボードの機能の実現について、キーボード５２０８のように物理的に接続しなくても、画面（タッチスクリーン）上にソフトウェアでキーボード（いわゆるソフトウェアキーボード、スクリーンキーボード等ともいわれる）を描画して、キーボードの機能を実現するようにしてもよい。
【０１８４】
ＨＤＤ（Ｈａｒｄ  Ｄｉｓｋ  Ｄｒｉｖｅ）５２１１は、ハードディスク（フラッシュ・メモリ等であってもよい）を内蔵し、ハードディスクを駆動し、ＣＰＵ５２０１によって実行するプログラムや情報を記録又は再生させる。ハードディスクには、印刷データ、印刷指示テーブル３４００、縁なし印刷ログテーブル４７００、ユーザー別許可枚数テーブル４８００等が格納される。さらに、その他の各種データ、各種コンピュータ・プログラム等が格納される。
【０１８５】
ドライブ５２１２は、装着されている磁気ディスク、光ディスク、光磁気ディスク、又は半導体メモリ等のリムーバブル記録媒体５２１３に記録されているデータ又はプログラムを読み出して、そのデータ又はプログラムを、インタフェース５２０７、外部バス５２０６、ブリッジ５２０５、及びホストバス５２０４を介して接続されているＲＡＭ５２０３に供給する。なお、リムーバブル記録媒体５２１３も、データ記録領域として利用可能である。
【０１８６】
接続ポート５２１４は、外部接続機器５２１５を接続するポートであり、ＵＳＢ、ＩＥＥＥ１３９４等の接続部を持つ。接続ポート５２１４は、インタフェース５２０７、及び外部バス５２０６、ブリッジ５２０５、ホストバス５２０４等を介してＣＰＵ５２０１等に接続されている。通信部５２１６は、通信回線に接続され、外部とのデータ通信処理を実行する。データ読み取り部５２１７は、例えばスキャナであり、ドキュメントの読み取り処理を実行する。データ出力部５２１８は、例えばプリンタであり、ドキュメントデータの出力処理を実行する。
【０１８７】
なお、図５２に示す画像形成装置３００、情報処理装置９００、画像形成装置１０００、画像形成指示装置２７００のハードウェア構成は、１つの構成例を示すものであり、本実施の形態は、図５２に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図５２に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機などに組み込まれていてもよい。
【０１８８】
なお、前述の実施の形態においては、４色のトナーを用いたカラー画像を形成する例を示したが、白黒印刷の画像形成装置であってもよいし、３色又は５色以上のトナーを用いたカラー画像を形成する画像形成装置であってもよい。
また、複数の感光体ドラムを用いる例を示したが、１本の感光体ドラム上で画像を形成するようにしてもよい。
【０１８９】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【０１９０】
また、第３の実施の形態は、以下の画像形成装置と組み合わせてもよい。
（ａ）トナー像を保持する像保持体と、
周回移動する無端状の周面が前記像保持体と対向するように配置され、前記像保持体との間を通過する記録媒体に前記トナー像を転写する電界が、前記像保持体との間に形成される転写部材と、
前記転写部材の周面に接触するように配置され、該転写部材の表面に付着したトナーを除去するクリーニング部材と、
前記クリーニング部材と前記転写部材との間にクリーニング用のバイアス電圧を印加するクリーニングバイアス印加手段と、
前記トナー像が、記録媒体の全面に転写される縁なし印刷モードと、記録媒体の外周部に余白を残して転写される通常印刷モードと、を含む複数の印刷モードからいずれかを選択して切り換える印刷モード切り換え手段と、
前記クリーニングバイアス印加手段により印加される前記クリーニング用のバイアス電圧を、前記通常印刷モード時には第１のバイアス電圧値とし、前記縁なし印刷モード時には、前記クリーニング部材と前記転写部材との間の電位差を前記第１のバイアス電圧値の印加時より大きくする第２のバイアス電圧値とするように制御するバイアス電圧制御手段と、を有し、
前記縁なし印刷モードによる画像の形成が連続して実行されるときには、予め定められた条件となるまで複数枚の縁なし画像を形成した後、前記クリーニング部材と前記転写部材との間に印加されている前記第２のバイアス電圧値を前記第１のバイアス電圧値に切り換え、該第１のバイアス電圧値が印加された状態で前記転写部材の周面を周回駆動するように設定されていることを特徴とする画像形成装置。
【０１９１】
（ｂ）前記縁なし印刷モードによる画像の形成が連続して実行されるときには、前記第２のバイアス電圧値を前記第１のバイアス電圧値に切り換え、該第１のバイアス電圧値が印加された状態で前記転写部材の周面を周回駆動した後に、前記第２のバイアス電圧値に切り換えて前記縁なし印刷モードによる画像の形成を再開するように設定されていることを特徴とする（ａ）項に記載の画像形成装置。
【０１９２】
以下の効果を有している。
（ａ）項の画像形成装置では、本構成を備えていない装置と比較して、縁なし印刷モードで画像形成を連続して行う場合も、トナー像が転写された記録媒体の背面がトナーで汚れることを抑制することができる。
【０１９３】
（ｂ）項の画像形成装置では、本構成を備えていない装置と比較して、縁なし印刷モードで画像形成を連続して行う場合も、トナー像が転写された記録媒体の背面がトナーで汚れることを抑制することができる。
【０１９４】
また、前述の実施の形態は以下のように把握してもよい。
［Ａ１］縁なし印刷用の定着装置又は転写装置が取り替え可能であって、縁なし印刷機能を利用する場合、前記定着装置又は転写装置が縁なし印刷用でないときには、警告を行う警告手段
を有する画像形成装置。
【０１９５】
［Ａ２］前記警告が行われた場合、縁なし印刷機能の利用を制限する
［Ａ１］に記載の画像形成装置。
【０１９６】
［Ａ３］前記縁なし印刷機能の利用制限は、利用回数又はユーザーの制限である
［Ａ２］に記載の画像形成装置。
【０１９７】
［Ａ４］縁なし印刷用の定着装置又は転写装置が取り付けられておらず、縁なし印刷機能の指定を受け付けた場合、縁なし印刷用の定着装置及び転写装置が取り付けられている場合とは異なる画像形成処理を行う画像形成処理手段
を有する画像形成装置。
【０１９８】
［Ａ５］前記異なる画像形成処理は、縁である周辺部の画像の濃度を下げることである
［Ａ４］に記載の画像形成装置。
【０１９９】
［Ａ６］前記異なる画像形成処理は、前記転写装置又は前記定着装置のクリーニング頻度を、前記縁なし印刷用の定着装置及び転写装置を装着した場合と比べて多く実行することである
［Ａ４］に記載の画像形成装置。
【０２００】
［Ａ７］縁なし印刷用の定着装置及び転写装置が取り付けられた場合、縁なし印刷を利用可能なソフトウェアが導入されているか否かを確認する確認手段
をさらに有することを特徴とする［Ａ１］から［Ａ６］のいずれか一項に記載の画像形成装置。
【０２０１】
［Ａ８］前記縁なし印刷を利用可能なソフトウェアが導入されていない場合、通信回線を介して当該ソフトウェアを導入する導入手段
をさらに有する［Ａ７］に記載の画像形成装置。
【０２０２】
［Ａ９］画像形成装置内のコンピュータを、
縁なし印刷用の定着装置又は転写装置が取り替え可能であって、縁なし印刷機能を利用する場合、前記定着装置又は転写装置が縁なし印刷用でないときには、警告を行う警告手段
として機能させる情報処理プログラム。
【０２０３】
［Ａ１０］画像形成装置内のコンピュータを、
縁なし印刷用の定着装置又は転写装置が取り付けられておらず、縁なし印刷機能の指定を受け付けた場合、縁なし印刷用の定着装置及び転写装置が取り付けられている場合とは異なる画像形成処理を行う画像形成処理手段
として機能させる情報処理プログラム。
【０２０４】
そして、前述の発明は、以下の効果を有する。
［Ａ１］の画像形成装置によれば、縁なし印刷に適した転写装置、定着装置が取り付けられていない場合は、ユーザーに知らせることができる。
【０２０５】
［Ａ２］の画像形成装置によれば、縁なし印刷用でない定着装置又は転写装置である場合に、縁なし印刷機能の利用を制限することができる。
【０２０６】
［Ａ３］の画像形成装置によれば、利用回数又はユーザーにしたがって、縁なし印刷の利用を制限できる。
【０２０７】
［Ａ４］の画像形成装置によれば、縁なし印刷を行うことによる画質の低下、故障等を防ぐことができる。
【０２０８】
［Ａ５］の画像形成装置によれば、クリーニングの負荷を減らすことができる。
【０２０９】
［Ａ６］の画像形成装置によれば、縁なし印刷によるクリーニング漏れを減少させることができる。
【０２１０】
［Ａ７］の画像形成装置によれば、縁なし印刷用の定着装置及び転写装置が取り付けられたにもかかわらず、縁なし印刷を利用可能なソフトウェアが導入されていないことを防ぐことができるようになる。
【０２１１】
［Ａ８］の画像形成装置によれば、縁なし印刷用の定着装置及び転写装置が取り付けられた場合、縁なし印刷を利用可能なソフトウェアを導入することができる。
【０２１２】
［Ａ９］の情報処理プログラムによれば、縁なし印刷に適した転写装置、定着装置が取り付けられていない場合は、ユーザーに知らせることができる。
【０２１３】
［Ａ１０］の情報処理プログラムによれば、縁なし印刷を行うことによる画質の低下、故障等を防ぐことができる。
【０２１４】
また、前述の実施の形態は以下のように把握してもよい。
［Ｂ１］縁なし印刷用の定着装置又は転写装置が取り替え可能であって、縁なし印刷機能を利用する場合、前記定着装置又は転写装置が縁なし印刷用でないときには、警告を行う警告手段
を有し、
前記警告が行われた場合、縁なし印刷機能の利用回数又はユーザーの利用制限を行う
画像形成装置。
【０２１５】
［Ｂ２］縁なし印刷用の定着装置又は転写装置が取り付けられておらず、縁なし印刷機能の指定を受け付けた場合、縁なし印刷用の定着装置及び転写装置が取り付けられている場合とは異なる画像形成処理を行う画像形成処理手段
を有する画像形成装置。
【０２１６】
［Ｂ３］前記異なる画像形成処理は、縁である周辺部の画像の濃度を下げることである
［Ｂ２］に記載の画像形成装置。
【０２１７】
［Ｂ４］前記異なる画像形成処理は、前記転写装置又は前記定着装置のクリーニング頻度を、前記縁なし印刷用の定着装置及び転写装置を装着した場合と比べて多く実行することである
［Ｂ２］に記載の画像形成装置。
【０２１８】
［Ｂ５］縁なし印刷用の定着装置及び転写装置が取り付けられた場合、縁なし印刷を利用可能なソフトウェアが導入されているか否かを確認する確認手段
をさらに有することを特徴とする［Ｂ１］から［Ｂ４］のいずれか一項に記載の画像形成装置。
【０２１９】
［Ｂ６］前記縁なし印刷を利用可能なソフトウェアが導入されていない場合、通信回線を介して当該ソフトウェアを導入する導入手段
をさらに有する［Ｂ５］に記載の画像形成装置。
【０２２０】
［Ｂ７］画像形成装置内のコンピュータを、
縁なし印刷用の定着装置又は転写装置が取り替え可能であって、縁なし印刷機能を利用する場合、前記定着装置又は転写装置が縁なし印刷用でないときには、警告を行う警告手段
として機能させ、
前記警告が行われた場合、縁なし印刷機能の利用回数又はユーザーの利用制限を行う
情報処理プログラム。
【０２２１】
［Ｂ８］画像形成装置内のコンピュータを、
縁なし印刷用の定着装置又は転写装置が取り付けられておらず、縁なし印刷機能の指定を受け付けた場合、縁なし印刷用の定着装置及び転写装置が取り付けられている場合とは異なる画像形成処理を行う画像形成処理手段
として機能させる情報処理プログラム。
【０２２２】
そして、前述の発明は、以下の効果を有する。
［Ｂ１］の画像形成装置によれば、縁なし印刷に適した転写装置、定着装置が取り付けられていない場合は、ユーザーに知らせることができる。そして、利用回数又はユーザーにしたがって、縁なし印刷の利用を制限できる。
【０２２３】
［Ｂ２］の画像形成装置によれば、縁なし印刷を行うことによる画質の低下、故障等を防ぐことができる。
【０２２４】
［Ｂ３］の画像形成装置によれば、クリーニングの負荷を減らすことができる。
【０２２５】
［Ｂ４］の画像形成装置によれば、縁なし印刷によるクリーニング漏れを減少させることができる。
【０２２６】
［Ｂ５］の画像形成装置によれば、縁なし印刷用の定着装置及び転写装置が取り付けられたにもかかわらず、縁なし印刷を利用可能なソフトウェアが導入されていないことを防ぐことができるようになる。
【０２２７】
［Ｂ６］の画像形成装置によれば、縁なし印刷用の定着装置及び転写装置が取り付けられた場合、縁なし印刷を利用可能なソフトウェアを導入することができる。
【０２２８】
［Ｂ７］の情報処理プログラムによれば、縁なし印刷に適した転写装置、定着装置が取り付けられていない場合は、ユーザーに知らせることができる。そして、利用回数又はユーザーにしたがって、縁なし印刷の利用を制限できる。
【０２２９】
［Ｂ８］の情報処理プログラムによれば、縁なし印刷を行うことによる画質の低下、故障等を防ぐことができる。
【０２３０】
また、前述の実施の形態は以下のように把握してもよい。
［Ｃ１］印刷データに基づいて、縁なし印刷用の設定と非縁なし印刷用の設定のいずれかを選択する選択手段
を有する画像形成指示装置。
【０２３１】
［Ｃ２］前記選択手段は、前記印刷データの外縁の画像に基づいて、縁なし印刷用の設定と非縁なし印刷用の設定のいずれかを選択する、
［Ｃ１］に記載の画像形成指示装置。
【０２３２】
［Ｃ３］前記選択手段は、前記印刷データの外縁に画像がある場合は、縁なし印刷用の設定を選択する、
［Ｃ２］に記載の画像形成指示装置。
【０２３３】
［Ｃ４］前記選択手段は、前記印刷データの外縁に画像がない場合は、非縁なし印刷用の設定を選択する、
［Ｃ２］に記載の画像形成指示装置。
【０２３４】
［Ｃ５］前記選択手段は、縁なし印刷用の設定又は非縁なし印刷用の設定を、前記印刷データの縁毎に選択できる、
［Ｃ１］に記載の画像形成指示装置。
【０２３５】
［Ｃ６］前記印刷データに対して、縁なし印刷用の設定と非縁なし印刷用の設定が混在する場合は、非縁なし印刷用の設定がされた縁を先頭にした画像を生成する生成手段
をさらに有する［Ｃ５］に記載の画像形成指示装置。
【０２３６】
［Ｃ７］前記生成手段は、前記印刷データを回転することによって、非縁なし印刷用の設定がされた縁を先頭にした画像を生成する、
［Ｃ６］に記載の画像形成指示装置。
【０２３７】
［Ｃ８］前記選択手段は、前記印刷データの生成過程に基づいて、縁なし印刷用の設定と非縁なし印刷用の設定のいずれかを選択する、
［Ｃ１］に記載の画像形成指示装置。
【０２３８】
［Ｃ９］前記選択手段は、前記印刷データがスクリーンショットによって生成された画像である場合は、縁なし印刷用の設定を選択する、
［Ｃ８］に記載の画像形成指示装置。
【０２３９】
［Ｃ１０］前記選択手段による選択結果を提示する提示手段
をさらに有する［Ｃ１］に記載の画像形成指示装置。
【０２４０】
［Ｃ１１］前記提示手段は、前記選択結果を、操作者によって変更可能に提示する、
［Ｃ１０］に記載の画像形成指示装置。
【０２４１】
［Ｃ１２］コンピュータを、
印刷データに基づいて、縁なし印刷用の設定と非縁なし印刷用の設定のいずれかを選択する選択手段
として機能させるための画像形成指示プログラム。
【０２４２】
そして、前述の発明は、以下の効果を有する。
［Ｃ１］の画像形成指示装置によれば、縁なし印刷ができる画像形成装置に対して印刷指示を行う場合において、縁なし印刷用の設定に関する操作の煩雑さを減少させることができる。
【０２４３】
［Ｃ２］の画像形成指示装置によれば、縁なし印刷用の設定と非縁なし印刷用の設定のいずれかの選択を、印刷データの外縁の画像を用いて行うことができる。
【０２４４】
［Ｃ３］の画像形成指示装置によれば、印刷データの外縁に画像がある場合は、縁なし印刷用の設定を選択することができる。
【０２４５】
［Ｃ４］の画像形成指示装置によれば、印刷データの外縁に画像がない場合は、非縁なし印刷用の設定を選択することができる。
【０２４６】
［Ｃ５］の画像形成指示装置によれば、印刷データの縁毎に、縁なし印刷用の設定又は非縁なし印刷用の設定を選択することができる。
【０２４７】
［Ｃ６］の画像形成指示装置によれば、印刷データに対して、縁なし印刷用の設定と非縁なし印刷用の設定が混在する場合は、非縁なし印刷用の設定がされた縁を先頭にした画像を生成することができる。
【０２４８】
［Ｃ７］の画像形成指示装置によれば、印刷データを回転して、非縁なし印刷用の設定がされた縁を先頭にした画像を生成することができる。
【０２４９】
［Ｃ８］の画像形成指示装置によれば、縁なし印刷用の設定と非縁なし印刷用の設定のいずれかの選択を、印刷データの生成過程を用いて行うことができる。
【０２５０】
［Ｃ９］の画像形成指示装置によれば、スクリーンショットによって生成された印刷データである場合は、縁なし印刷用の設定を選択することができる。
【０２５１】
［Ｃ１０］の画像形成指示装置によれば、選択結果を提示することができる。
【０２５２】
［Ｃ１１］の画像形成指示装置によれば、選択結果を、操作者によって変更可能に提示することができる。
【０２５３】
［Ｃ１２］の画像形成指示プログラムによれば、縁なし印刷ができる画像形成装置に対して印刷指示を行う場合において、縁なし印刷用の設定に関する操作の煩雑さを減少させることができる。
【０２５４】
また、前述の実施の形態は以下のように把握してもよい。
［Ｄ１］
画像を表示する表示手段と、
前記表示手段によって表示されている画像から印刷対象となる領域を決定する決定手段と、
前記領域内を対象とした印刷の指示操作が行われた場合に、印刷可能な印刷装置に印刷指示を送信する送信手段
を有する情報処理装置。
【０２５５】
［Ｄ２］
前記送信手段は、前記指示操作が行われた場合は、操作者による印刷装置の選択操作なしに、印刷可能な印刷装置に前記印刷指示を送信する、
［Ｄ１］に記載の情報処理装置。
【０２５６】
［Ｄ３］
前記送信手段は、前記印刷指示が送信された後に、前記決定手段によって連続して領域が決定された場合は、操作者による印刷の指示操作なしに、印刷可能な印刷装置に印刷指示を送信する、
［Ｄ２］に記載の情報処理装置。
【０２５７】
［Ｄ４］
前記送信手段は、前記印刷における印刷装置の設定が既に行われている場合は、該設定が可能な印刷装置に前記印刷指示を送信する、
［Ｄ１］に記載の情報処理装置。
【０２５８】
［Ｄ５］
前記表示手段は、印刷可能な印刷装置が複数ある場合は、該印刷装置を選択可能に表示する、
をさらに有する［Ｄ１］に記載の情報処理装置。
【０２５９】
［Ｄ６］
前記表示手段は、地図上に前記印刷装置を選択可能に表示する、
［Ｄ５］に記載の情報処理装置。
【０２６０】
［Ｄ７］
前記表示手段は、操作者による印刷装置の選択にしたがって、該印刷装置の機能又は稼働情報を表示する、
［Ｄ６］に記載の情報処理装置。
【０２６１】
［Ｄ８］
前記表示手段は、予め定められた規則にしたがって、前記印刷装置を順位付けして表示する、
［Ｄ５］に記載の情報処理装置。
【０２６２】
［Ｄ９］
前記規則として、
（１）本情報処理装置の向きにある印刷装置の優先度を高くする、
（２）本情報処理装置と接続状況が良好である印刷装置の優先度を高くする、
（３）本情報処理装置との距離が短い印刷装置の優先度を高くする、
（４）前記印刷対象の印刷終了が早い印刷装置の優先度を高くする、
のいずれか１つ以上を用いる、
［Ｄ８］に記載の情報処理装置。
【０２６３】
［Ｄ１０］
前記表示手段は、本情報処理装置と印刷装置とを中継する中継機器に記憶されている規則を用いる、
［Ｄ８］又は［Ｄ９］に記載の情報処理装置。
【０２６４】
［Ｄ１１］
印刷可能な印刷装置がない場合は、警告を行う警告手段
をさらに有する［Ｄ１］に記載の情報処理装置。
【０２６５】
［Ｄ１２］
コンピュータを、
画像を表示する表示手段と、
前記表示手段によって表示されている画像から印刷対象となる領域を決定する決定手段と、
前記領域内を対象とした印刷の指示操作が行われた場合に、印刷可能な印刷装置に印刷指示を送信する送信手段
として機能させるための情報処理プログラム。
【０２６６】
そして、前述の発明は、以下の効果を有する。
［Ｄ１］の情報処理装置によれば、情報処理装置内のファイル等を印刷する場合の操作に比べて、情報処理装置の表示装置に表示されている画像の印刷に必要なユーザーの操作を容易にすることができる。
【０２６７】
［Ｄ２］の情報処理装置によれば、指示操作が行われた場合は、操作者による印刷装置の選択操作なしに、印刷可能な印刷装置に印刷指示を送信することができる。
【０２６８】
［Ｄ３］の情報処理装置によれば、印刷指示が送信された後に、連続して領域が決定された場合は、操作者による印刷の指示操作なしに、印刷可能な印刷装置に印刷の印刷指示を送信することができる。
【０２６９】
［Ｄ４］の情報処理装置によれば、印刷装置の設定が既に行われている場合は、その設定が可能な印刷装置に印刷指示を送信することができる。
【０２７０】
［Ｄ５］の情報処理装置によれば、印刷可能な印刷装置が複数ある場合は、その印刷装置を選択可能に表示することができる。
【０２７１】
［Ｄ６］の情報処理装置によれば、地図上に前記印刷装置を選択可能に表示することができる。
【０２７２】
［Ｄ７］の情報処理装置によれば、ユーザーによる印刷装置の選択にしたがって、その印刷装置の機能又は稼働情報を表示することができる。
【０２７３】
［Ｄ８］の情報処理装置によれば、予め定められた規則にしたがって、印刷装置を順位付けして表示することができる。
【０２７４】
［Ｄ９］の情報処理装置によれば、規則として、（１）本情報処理装置の向きにある印刷装置の優先度を高くする、（２）本情報処理装置と接続状況が良好である印刷装置の優先度を高くする、（３）本情報処理装置との距離が短い印刷装置の優先度を高くする、（４）前記印刷対象の印刷終了が早い印刷装置の優先度を高くする、のいずれか１つ以上を用いることができる。
【０２７５】
［Ｄ１０］の情報処理装置によれば、中継機器に記憶されている規則を用いることができる。
【０２７６】
［Ｄ１１］の情報処理装置によれば、印刷可能な印刷装置がない場合は、警告を行うことができる。
【０２７７】
［Ｄ１２］の情報処理プログラムによれば、情報処理装置内のファイル等を印刷する場合の操作に比べて、情報処理装置の表示装置に表示されている画像の印刷に必要なユーザーの操作を容易にすることができる。
【符号の説明】
【０２７８】
１１０…転写モジュール
１２０…定着モジュール
１３０…搬送・清掃モジュール
１４０…排紙保持モジュール
３００…画像形成装置
８１０…圧力用ローラー
９００…情報処理装置
９０５…表示モジュール
９１０…操作受付モジュール
９１５…領域決定モジュール
９２０…印刷指示モジュール
９２５…画像形成装置決定モジュール
９３０…通信モジュール
１０００…画像形成装置
１０１０…画像形成処理モジュール
１０２０…縁なし制御モジュール
１０２５…縁なし印刷制御モジュール
１０３０…縁なし印刷用定着装置検知モジュール
１０３５…縁なし印刷用転写装置検知モジュール
１０４０…警告モジュール
１０４５…縁なし画像形成処理モジュール
１０５０…印刷制限処理モジュール
１０５５…縁なし印刷用ソフトウェア確認モジュール
１０６０…縁なし印刷用ソフトウェア導入モジュール
１０６５…通信モジュール
１０９０…ユーザー端末
２７００…画像形成指示装置
２７０５…印刷データ受付モジュール
２７１０…印刷属性設定モジュール
２７１５…外縁検査モジュール
２７２０…画像生成過程検知モジュール
２７２５…選択モジュール
２７３０…提示モジュール
２７３５…印刷指示モジュール
４０１０…ソフトウェア格納サーバー
４０９０…通信回線
【図１】
0006988297.tif 000002
【図２】
0006988297.tif 000003
【図３】
0006988297.tif 000004
【図４】
0006988297.tif 000005
【図５】
0006988297.tif 000006
【図６】
0006988297.tif 000007
【図７】
0006988297.tif 000008
【図８】
0006988297.tif 000009
【図９】
0006988297.tif 000010
【図１０】
0006988297.tif 000011
【図１１】
0006988297.tif 000012
【図１２】
0006988297.tif 000013
【図１３】
0006988297.tif 000014
【図１４】
0006988297.tif 000015
【図１５】
0006988297.tif 000016
【図１６】
0006988297.tif 000017
【図１７】
0006988297.tif 000018
【図１８】
0006988297.tif 000019
【図１９】
0006988297.tif 000020
【図２０】
0006988297.tif 000021
【図２１】
0006988297.tif 000022
【図２２】
0006988297.tif 000023
【図２３】
0006988297.tif 000024
【図２４】
0006988297.tif 000025
【図２５】
0006988297.tif 000026
【図２６】
0006988297.tif 000027
【図２７】
0006988297.tif 000028
【図２８】
0006988297.tif 000029
【図２９】
0006988297.tif 000030
【図３０】
0006988297.tif 000031
【図３１】
0006988297.tif 000032
【図３２】
0006988297.tif 000033
【図３３】
0006988297.tif 000034
【図３４】
0006988297.tif 000035
【図３５】
0006988297.tif 000036
【図３６】
0006988297.tif 000037
【図３７】
0006988297.tif 000038
【図３８】
0006988297.tif 000039
【図３９】
0006988297.tif 000040
【図４０】
0006988297.tif 000041
【図４１】
0006988297.tif 000042
【図４２】
0006988297.tif 000043
【図４３】
0006988297.tif 000044
【図４４】
0006988297.tif 000045
【図４５】
0006988297.tif 000046
【図４６】
0006988297.tif 000047
【図４７】
0006988297.tif 000048
【図４８】
0006988297.tif 000049
【図４９】
0006988297.tif 000050
【図５０】
0006988297.tif 000051
【図５１】
0006988297.tif 000052
【図５２】
0006988297.tif 000053